(57)【要約】デュアルコネクティビティ動作においてサイドリンクリソースを構成するためのシステムおよび方法が、提供される。ある側面では、方法は、ユーザ機器（ＵＥ）から、第１のメッセージを第１の進化型ノードＢ（ｅＮＢ）に伝送することであって、第１のメッセージは、サイドリンク通信を確立するための要求を示す、ことと、ＵＥにおいて、第１のｅＮＢから第２のメッセージを受信することであって、第２のメッセージは、二次進化型ノードＢ（ＳｅＮＢ）によって使用される周波数を示す、ことと、ＵＥから、測定結果を第１のｅＮＢに伝送することと、ＵＥにおいて、第１のｅＮＢからサイドリンク構成情報を受信することであって、サイドリンク構成情報は、二次ｅＮＢによって管理されるサイドリンクリソースを示す、こととを含む。
2020523887.tif 000002
【特許請求の範囲】
【請求項１】
方法であって、前記方法は、
ユーザ機器（ＵＥ）から、第１のメッセージを第１の進化型ノードＢ（ｅＮＢ）に伝送することであって、前記第１のメッセージは、サイドリンク通信を確立するための要求を示す、ことと、
前記ＵＥにおいて、前記第１のｅＮＢから第２のメッセージを受信することであって、前記第２のメッセージは、二次進化型ノードＢ（ＳｅＮＢ）によって使用される周波数を示す、ことと、
前記ＵＥから、測定結果を前記第１のｅＮＢに伝送することと、
前記ＵＥにおいて、前記第１のｅＮＢからサイドリンク構成情報を受信することと
を含み、
前記サイドリンク構成情報は、前記二次ｅＮＢによって管理されるサイドリンクリソースを示す、方法。
【請求項２】
前記サイドリンク通信は、Ｖ２Ｘサイドリンク通信である、請求項１に記載の方法。
【請求項３】
前記ＵＥは、前記ＭｅＮＢおよび前記ＳｅＮＢの両方とのデュアルコネクティビティ（ＤＣ）モードにおいて動作する、請求項２に記載の方法。
【請求項４】
前記ＵＥからの前記第１のメッセージの中で、能力インジケータを前記第１のｅＮＢに伝送することをさらに含み、前記能力インジケータは、前記ＵＥがデュアルコネクティビティ構成を介してＶ２Ｘサイドリンク通信をサポートすることを示す、請求項１に記載の方法。
【請求項５】
前記サイドリンクリソースを使用して、前記サイドリンク通信を実施することをさらに含む、請求項１に記載の方法。
【請求項６】
前記サイドリンク構成情報は、前記サイドリンク通信のためのスケジューリングを前記ＭｅＮＢが提供するか、前記ＳｅＮＢが提供するかを示す、請求項１に記載の方法。
【請求項７】
前記サイドリンク構成情報は、前記サイドリンク通信のための同期化をＭｅＮＢが提供するか、前記ＳｅＮＢが提供するかを示す、請求項１に記載の方法。
【請求項８】
ユーザ機器（ＵＥ）であって、前記ＵＥは、
少なくとも１つのハードウェアプロセッサと、
前記少なくとも１つのハードウェアプロセッサに結合され、前記少なくとも１つのハードウェアプロセッサによる実行のためのプログラミング命令を記憶している非一過性のコンピュータ読み取り可能な記憶媒体と
を備え、
前記プログラミング命令は、実行されると、
前記ＵＥから、第１のメッセージを第１の進化型ノードＢ（ｅＮＢ）に伝送することであって、前記第１のメッセージは、サイドリンク通信を確立するための要求を示す、ことと、
前記ＵＥにおいて、前記第１のｅＮＢから第２のメッセージを受信することであって、前記第２のメッセージは、二次進化型ノードＢ（ＳｅＮＢ）によって使用される周波数を示す、ことと、
前記ＵＥから、測定結果を前記第１のｅＮＢに伝送することと、
前記ＵＥにおいて、前記第１のｅＮＢからサイドリンク構成情報を受信することと
を含む動作を前記少なくとも１つのハードウェアプロセッサに実施させ、
前記サイドリンク構成情報は、前記二次ｅＮＢによって管理されるサイドリンクリソースを示す、ＵＥ。
【請求項９】
前記サイドリンク通信は、Ｖ２Ｘサイドリンク通信である、請求項８に記載のＵＥ。
【請求項１０】
前記ＵＥは、前記ＭｅＮＢおよび前記ＳｅＮＢの両方とのデュアルコネクティビティ（ＤＣ）モードにおいて動作する、請求項９に記載のＵＥ。
【請求項１１】
前記動作は、前記ＵＥからの前記第１のメッセージの中で、能力インジケータを前記第１のｅＮＢに伝送することをさらに含み、前記能力インジケータは、前記ＵＥがデュアルコネクティビティ構成を介してＶ２Ｘサイドリンク通信をサポートすることを示す、請求項８に記載のＵＥ。
【請求項１２】
前記動作は、前記サイドリンクリソースを使用して、前記サイドリンク通信を実施することをさらに含む、請求項８に記載のＵＥ。
【請求項１３】
前記サイドリンク構成情報は、前記サイドリンク通信のためのスケジューリングを前記ＭｅＮＢが提供するか、前記ＳｅＮＢが提供するかを示す、請求項８に記載のＵＥ。
【請求項１４】
前記サイドリンク構成情報は、前記サイドリンク通信のための同期化を前記ＭｅＮＢが提供するか、前記ＳｅＮＢが提供するかを示す、請求項８に記載のＵＥ。
【請求項１５】
命令を記憶している非一過性のコンピュータ読み取り可能な媒体であって、前記命令は、実行されると、
ユーザ機器（ＵＥ）から、第１のメッセージを第１の進化型ノードＢ（ｅＮＢ）に伝送することであって、前記第１のメッセージは、サイドリンク通信を確立するための要求を示す、ことと、
前記ＵＥにおいて、前記第１のｅＮＢから第２のメッセージを受信することであって、前記第２のメッセージは、二次進化型ノードＢ（ＳｅＮＢ）によって使用される周波数を示す、ことと、
前記ＵＥから、測定結果を前記第１のｅＮＢに伝送することと、
前記ＵＥにおいて、前記第１のｅＮＢからサイドリンク構成情報を受信することと
を含む動作をコンピューティングデバイスに実施させ、
前記サイドリンク構成情報は、前記二次ｅＮＢによって管理されるサイドリンクリソースを示す、非一過性のコンピュータ読み取り可能な媒体。
【請求項１６】
前記サイドリンク通信は、Ｖ２Ｘサイドリンク通信である、請求項１５に記載の非一過性のコンピュータ読み取り可能な媒体。
【請求項１７】
前記ＵＥは、前記ＭｅＮＢおよび前記ＳｅＮＢの両方とのデュアルコネクティビティ（ＤＣ）モードにおいて動作する、請求項１６に記載の非一過性のコンピュータ読み取り可能な媒体。
【請求項１８】
前記動作は、前記ＵＥからの前記第１のメッセージの中で、能力インジケータを前記第１のｅＮＢに伝送することをさらに含み、前記能力インジケータは、前記ＵＥがデュアルコネクティビティ構成を介してＶ２Ｘサイドリンク通信をサポートすることを示す、請求項１５に記載の非一過性のコンピュータ読み取り可能な媒体。
【請求項１９】
前記動作は、前記サイドリンクリソースを使用して、前記サイドリンク通信を実施することをさらに含む、請求項１５に記載の非一過性のコンピュータ読み取り可能な媒体。
【請求項２０】
前記サイドリンク構成情報は、前記サイドリンク通信のためのスケジューリングを前記ＭｅＮＢが提供するか、前記ＳｅＮＢが提供するかを示す、請求項１５に記載の非一過性のコンピュータ読み取り可能な媒体。
【発明の詳細な説明】
【技術分野】
【０００１】
（優先権の主張）
本願は、その内容全体が参照することによって本明細書に組み込まれる２０１７年６月１５日に出願された欧州特許出願第１７３０５７３２．４号の優先権を主張する。
（技術分野）
【０００２】
本開示は、通信システムにおけるデータ伝送に関し、より具体的には、サイドリンク通信を構成することに関する。
【背景技術】
【０００３】
電気通信ネットワーク、例えば、ロングタームエボリューション（ＬＴＥ）ネットワークまたは次世代５Ｇネットワークでは、デバイス間（Ｄ２Ｄ）近接性ベースのサービス（ＰｒｏＳｅ）が、サポートされ得る。Ｄ２Ｄ  ＰｒｏＳｅは、拡張型パケットシステム（ＥＰＳ）においてデバイス間通信をサポートする特徴の組を含み得る。これらの特徴は、ＰｒｏＳｅダイレクト通信と、ＰｒｏＳｅダイレクトディスカバリとを含み得る。
【０００４】
ＰｒｏＳｅダイレクト通信は、無線通信動作を指し、それによって、２つのＰｒｏＳｅ対応型ユーザ機器（ＵＥ）は、サイドリンクチャネルを介したＵＥ間（ＰＣ５）無線インターフェースを経由して直接、互いに通信することができる。この通信モードは、拡張型ユニバーサルモバイルテレコミュニケーションズシステム（ＵＭＴＳ）地上波無線ネットワーク（Ｅ−ＵＴＲＡＮ）ネットワークのカバレッジエリア内またはＥ−ＵＴＲＡＮネットワークのカバレッジエリア外のＵＥのためにサポートされ得る。
【０００５】
ＰｒｏＳｅダイレクトディスカバリは、ＰＣ５を介したＥ−ＵＴＲＡ直接無線信号を使用して、それらに近接する他のＰｒｏＳｅ対応型ＵＥを検出および識別するために、ＰｒｏＳｅ対応型ＵＥによって使用されるプロシージャの組を指す。
【発明の概要】
【課題を解決するための手段】
【０００６】
本開示は、デュアルコネクティビティ動作においてサイドリンク通信を構成することを対象とする。本開示では、サイドリンクは、ＰｒｏＳｅまたはデバイス間（Ｄ２Ｄ）無線伝送方式を指し、さらに言うと、ＰｒｏＳｅ／Ｄ２Ｄ通信およびディスカバリ特徴をサポートするためのＰＣ５インターフェースを経由したプロトコルの関連組を指す。ＰｒｏＳｅ／Ｄ２Ｄ特徴は、ＰｒｏＳｅ／Ｄ２Ｄリレーにも適用可能であり、ＰｒｏＳｅ／Ｄ２Ｄリレーは、２つのＰｒｏＳｅ／Ｄ２Ｄ対応型ＵＥ間またはＰｒｏＳｅ／Ｄ２Ｄ対応型ＵＥとネットワークとの間のいずれかでトラフィックを中継し、既存のネットワークカバレッジを拡張するために使用され得る。ＬＴＥ  ＰｒｏＳｅ／Ｄ２Ｄの使用は、公共安全および商業用途の両方を含む。ある場合、ＬＴＥ  ＰｒｏＳｅ／Ｄ２Ｄは、例えば、モバイルデバイス間、固定デバイス間、または近接近しているモバイルと固定デバイスとの間にＶ２Ｘ通信を提供する道路安全および交通情報用途を含む乗り物通信環境で使用されることもできる。用語「ＬＴＥ  ＰｒｏＳｅ／Ｄ２Ｄ」、「ＰｒｏＳｅ／Ｄ２Ｄ」、および「ＰｒｏＳｅ／Ｄ２Ｄサイドリンク」は、同義的に使用されることができる。用語「サイドリンク」、「Ｖ２Ｘサイドリンク通信」、「Ｖ２Ｖサイドリンク」、「Ｖ２Ｘ  ＰＣ５」、および「ＰＣ５」は、本書では、ＰｒｏＳｅ／Ｄ２Ｄ／ＰＣ５チャネルを介した１つまたは複数の知的交通サービス（ＩＴＳ）の配信と同一のものを意味するためにも使用され得、かつ同義的に使用され得る。
【０００７】
Ｖ２Ｘは、任意の２つの知的交通サービス（ＩＴＳ）対応デバイス間の通信を指し、ＩＴＳ対応デバイスは、例えば、ＩＴＳサービスをサポートすることが可能な乗り物、歩行者、動物、自転車乗車者、路側ユニット（ＲＳＵ）、または任意の他のデバイスであり得る。例えば、Ｖ２Ｘは、例えば、乗り物間（Ｖ２Ｖ）、乗り物・歩行者間（Ｖ２Ｐ）、乗り物・インフラストラクチャ間（Ｖ２Ｉ）、または乗り物・ネットワーク間（Ｖ２Ｎ）の通信を含む乗り物と任意の他の知的交通サービス（ＩＴＳ）対応デバイスとの間の通信を指し得る。Ｖ２Ｘは、輸送エンティティ（乗り物、路側インフラストラクチャ、関連付けられるアプリケーションサーバ、および歩行者等）が、より知的な輸送関連サービスまたはアプリケーション（例えば、協調的ルート計画、協調的衝突警告、または自律運転）のための知識を処理および共有するために、それらのローカル環境に関する情報を取得および共有することを可能にする。ある場合、用語「Ｖ２Ｘ」および「Ｖ２Ｖ」は、乗り物指向型サービスをサポートする通信のためにＵＥに提供されるサービスを指すために、同義的に使用され得る。乗り物指向型サービスの例は、道路安全、（輸送）交通効率、および他アプリケーションサービス等の知的交通システム（ＩＴＳ）サービスを含む。本開示における用語が、乗り物、知的輸送サービス対応デバイス、路側ユニット、歩行者等の間の通信を対象とすることを理解されたい。しかしながら、技術は、他のタイプの輸送システム、それらのインフラストラクチャおよび乗客（例えば、電車、線路信号、乗客、航空機、ドローン等）、および、線路信号と通信し得る乗り物（踏切における車等）にも適用可能である。
【０００８】
ＵＥは、ＵＥがサービス提供され、Ｅ−ＵＴＲＡＮのカバレッジ内にあるとき、および、ＵＥがＥ−ＵＴＲＡＮカバレッジの外側にあるときにも、ＰｒｏＳｅ／Ｄ２Ｄサイドリンクのリソースを利用し得る。しかしながら、それぞれのカバレッジモードでＶ２Ｘサービスを使用するための権限を与えられているＵＥのみが、Ｖ２Ｘサイドリンク通信を実施することができる。ＵＥがＥ−ＵＴＲＡＮカバレッジ内のＶ２Ｘサイドリンク通信のための権限を与えられている場合、ＵＥは、サイドリンクリソース選択のための２つのモードのうちの１つ（ｅＮＢ構成に従ったスケジュールされたリソース配分モードまたはＵＥ自律リソース選択モードのいずれか）を使用し得る。加えて、ＵＥがＶ２Ｘサイドリンク通信のためのＥ−ＵＴＲＡＮカバレッジ外にあるときのデータ転送のためのサイドリンク伝送および受信リソースプールの組は、ＵＥにおいて事前構成されるか、または、ネットワーク内のサーバからＵＥにおいて構成され得る。
【０００９】
ＵＥがモバイルネットワークオペレータ（ＭＮＯ）のカバレッジ内にあるとき、スケジュールされた動作モードの使用は、サイドリンク上での衝突のない伝送機会を提供するという利点を有し、したがって、それは、サイドリンク伝送の信頼性を向上させることができる。
【００１０】
ある場合、ネットワークは、デュアルコネクティビティ（ＤＣ）モードで動作するようにＵＥを構成し得る。ＤＣ動作では、ＵＥのためのサービングセルの構成された組は、２つの部分組を含む：マスタｅＮＢ（ＭｅＮＢ）のサービングセルセルを含むマスタセルグループ（ＭＣＧ）、および、二次ｅＮＢ（ＳｅＮＢ）のサービングセルセルを含む二次セルグループ（ＳＣＧ）。以下では、デュアルコネクティビティ構成の確立に先立った説明で使用される用語「サービングセルｅＮＢ」、「一次ｅＮＢ」、および「ＭｅＮＢ」の使用は、ＵＥのための一次ＲＲＣ接続を制御している単一のｅＮＢを指すと理解される。
【００１１】
ＤＣ動作では、ＲＲＣ＿ＣＯＮＮＥＣＴＥＤ状態時のＵＥは、ＭｅＮＢおよびＳｅＮＢの中にそれぞれ位置する２つの異なるスケジューラによって提供される無線リソースを使用する。ＭｅＮＢおよびＳｅＮＢは、Ｘ２インターフェースを経由したバックホール接続を介して接続される。ＤＣでは、特定のデータ無線ベアラが使用する無線プロトコルアーキテクチャは、ベアラが設定される方法に依存する。３つのデータ無線ベアラ（ＤＲＢ）タイプが、存在する：ＭＣＧ（マスタセルグループ）ベアラ（ＭｅＮＢによって制御される）、ＳＣＧ（二次セルグループ）ベアラ（ＳｅＮＢによって制御される）、および、分割ベアラ（ＭｅＮＢとＳｅＮＢとの間で分割されるが、ＭｅＮＢにアンカーされる）。ＤＣ  ＵＥのための無線リソース制御（ＲＲＣ）は、ＭｅＮＢの中に位置し、信号無線ベアラ（ＳＲＢ）は、ＤＲＢタイプに従って構成される。
【００１２】
ＵＥがＤＣ動作のために構成されるべきとき、一次ｅＮＢは、特定のＵＥのためのデュアルコネクティビティ動作のためにリソースを配分するように標的ｅＮＢに要求するために、ＳｅＮＢ追加準備プロシージャを使用し得る。Ｘ２アプリケーションプロトコル（Ｘ２：ＡＰ）内のＸ２インターフェースを経由した一次ｅＮＢと標的ＳｅＮＢとの間のシグナリングの一部として、一次ｅＮＢは、ＳｅＮＢへのＳＥＮＢ  ＡＤＤＩＴＩＯＮ  ＲＥＱＵＥＳＴメッセージの中にコンテナＳＣＧ−ＣｏｎｆｉｇＩｎｆｏメッセージを含むことができる。ＳＣＧ−ＣｏｎｆｉｇＩｎｆｏメッセージは、ＤＣアクションを実施するために使用される情報（例えば、ＳＣＧを確立、修正、または解放すること、または、標的ＳｅＮＢがＳＣＧ構成を割り当てることを支援することを行うために使用される情報）を含むことができる。成功した要求プロシージャに応答して、標的ＳｅＮＢは、ＳＥＮＢ  ＡＤＤＩＴＩＯＮ  ＲＥＱＵＥＳＴ  ＡＣＫＮＯＷＬＥＤＧＥＭＥＮＴメッセージを送信することができ、このメッセージは、ＵＥのための任意の新しいまたは修正された専用ＳＣＧ構成と、ＳＣＧセルの追加時、共通ＳＣＧ構成とを含むコンテナＳＣＧ−Ｃｏｎｆｉｇメッセージを含み得る。
【００１３】
ピアエンティティ（乗り物）間の直接Ｖ２Ｖ／Ｖ２Ｘ通信は、所与の地理的地域内の乗り物ＵＥが異なるモバイルネットワークオペレータ（ＭＮＯ）と主に関連付けられるどうかにかかわらず、これらの乗り物ＵＥが互いに通信できることを要求する。
【００１４】
セルラー通信では、ＭＮＯは、専用（例えば、認可）スペクトルを所有し、それを制御し、このスペクトルを使用して、サービスを展開する。故に、乗り物ＵＥがそれらのそれぞれのＭＮＯに関連付けられるとき、その乗り物ＵＥによる任意の関連付けられる直接Ｖ２Ｘ通信は、それぞれのＭＮＯの専用スペクトルを経由してのみ起こり得る。したがって、例えば、サイドリンクを介して、互いに直接通信することを望む乗り物ＵＥが、異なるＭＮＯに関連付けられる場合、全ての乗り物ＵＥがアクセスし、互いに直接通信するために使用するための共通周波数が存在しないこともある。
【００１５】
この問題に対処するために、１つの周波数、または周波数もしくは周波数チャネルの組を含む共通周波数スペクトルが、Ｖ２Ｘサービスの配信（例えば、Ｖ２Ｖ通信）のために割り当てられ得る。この周波数、周波数または周波数チャネルの組におけるリソースは、次いで、互いに直接通信するために全ての乗り物ＵＥによって利用されることができる。この周波数スペクトル割り当ては、単一地域、複数地域、または地方基準であり得る。しかしながら、乗り物ＵＥが、Ｖ２Ｘ通信のための周波数または周波数チャネルの単一もしくは専用組を使用する複数のＭＮＯに関連付けられている場合、ＵＥが、サイドリンク動作のために、特に、ＰｒｏＳｅ／Ｄ２Ｄ通信のスケジュールされたモードのために利用するその無線リソースの構成を受信する方法は、明確ではない。スケジュールされたモードで動作するデバイスは、サービングセルＭＮＯからのリソース配分を要求するが、しかしながら、この事例では、同一地域内の全てのＭＮＯが、共通周波数または周波数チャネルのためのリソースを全ての乗り物デバイスに配分しているであろう。異なるＭＮＯが、同一の共通周波数のためのリソースをシグナリングする場合、乗り物ＵＥサイドリンクリソースを割り当てるどの１つのＭＮＯも、リソースを要求する乗り物ＵＥへの明確かつ曖昧でないサイドリンクリソース配分を確立する必要があり、それによって、同時またはほぼ同時に起こる他のＭＮＯの乗り物ＵＥ  Ｖ２Ｘ通信リソース割り当ては、干渉されず、遮断を被らず、または継続中のＶ２Ｘ通信へのいかなる悪影響も受けず、それぞれの乗り物ＵＥ間の任意の通信は、適時かつ確実に完了される。
【００１６】
このリソース配分問題を解決するための１つの方法は、その地域または領域内の全てのＵＥのために単一のＭＮＯを介して調整および配信される共通周波数スペクトルにおけるリソース配分を有することである。このＭＮＯは、指定地域または領域内の共通周波数スペクトルを経由したＶ２Ｘサービスの展開にも関与し、したがって、その地域または領域内のそれぞれの乗り物ＵＥによって使用される関連付けられるサイドリンクリソースの配分に関与し得る。
【００１７】
この場合、乗り物ＵＥが、Ｖ２Ｘ  ＭＮＯを選択または再選択し、Ｖ２Ｘ通信を実施する場合、乗り物ＵＥは、次いで、その一次ＭＮＯから他のサービスを受信し続けることができないこともある。
【００１８】
ある場合、乗り物ＵＥは、例えば、少なくとも１つの周波数がそれぞれのＭＮＯの各々によって所有または運営される異なる周波数においてサービスを受信するために、２つのＭＮＯへの同時アクセスを有し得る。２つのＭＮＯのうちの１つは、地理的地域内の乗り物ＵＥがＶ２ＶまたはＶ２Ｘ通信のためにアクセスし、通信し得る地理的地域内の共通周波数スペクトルを制御するＶ２Ｘ  ＭＮＯである。他方のＭＮＯは、乗り物ＵＥが、他のサービス、例えば、インフォテインメントサービスのために関連付けられる一次ＭＮＯであり得る。
【００１９】
一実装においてこの要件に対処するために、ＵＥは、デュアルコネクティビティモードで動作することができ、ＵＥは、各ＭＮＯから１つの２つのｅＮＢに同時に接続され、例えば、ＭｅＮＢが、その一次ＭＮＯからであり得、ＳｅＮＢがＶ２Ｘ  ＭＮＯからであり得る。
【００２０】
さらに、ｅＮＢが異なるＭＮＯからであるので、１つのＭＮＯのｅＮＢが、別のＭＮＯによって運営または所有される別のｅＮＢのリソースのアクセス制御および配分に関して決定を行うことは、望ましくないこともある。実際、Ｖ２Ｘサービスを運営するＭＮＯのｅＮＢが、ローカルエリア内の複数のＭＮＯの乗り物ＵＥをサポートし得るので、Ｖ２Ｘ  ＭＮＯのｅＮＢ、または少なくともＶ２Ｘ  ｅＮＢを所有もしくは運営するＭＮＯが、その周波数スペクトル上で使用されるサイドリンクリソースのためのアクセス、配分、および割り当てに関する制御を保持することが、望ましくあり得る。故に、Ｖ２Ｘ  ｅＮＢがＳｅＮＢであるこの実施形態では、ＳｅＮＢは、ＭｅＮＢおよびＳｅＮＢが異なるモバイルネットワークオペレータ（ＭＮＯ）に属していても、ＤＣ構成でＶ２Ｘサイドリンクリソースを配分および制御することができる。
【００２１】
具体的には、ＳｅＮＢは、例えば、一次ＭｅＮＢを介して、ＳｅＮＢ追加プロシージャ中にサイドリンクリソース構成情報を提供することができる。加えて、ＤＣ構成中、ＵＥは、標的ＳｅＮＢからサイドリンクリソースを要求し、ＳｅＮＢから直接、サイドリンクリソーススケジューリングおよび同期化を受信するように命令されることができる。さらに、サイドリンク構成のシグナリングオーバーヘッドが、異なるＳｅＮＢ間のモビリティ中に低減されることができ、関連ＭＮＯ課金情報が、ＭｅＮＢとＳｅＮＢとの間で調整されることができる。図１−１５および関連付けられる説明は、これらの実装の追加の詳細を提供する。
【図面の簡単な説明】
【００２２】
【図１】図１は、ある実装による例示的無線通信システムである。
【００２３】
【図２】図２は、ある実装によるデュアルコネクティビティ構成プロセスを図示する例示的フロー図である。
【００２４】
【図３】図３は、ある実装による例示的ＳＣＧ−Ｃｏｎｆｉｇメッセージを図示する。
【００２５】
【図４】図４は、ある実装による例示的ＩＥ  ｓｌＣｏｎｆｉｇＳＣＧ−ｒ１５を図示する。
【００２６】
【図５】図５は、ある実装による別の例示的ＩＥ  ｓｌＣｏｎｆｉｇＳＣＧ−ｒ１５を図示する。
【００２７】
【図６Ａ】図６Ａ−６Ｂは、ある実装による例示的ＩＥ  ＳＬ−Ｖ２Ｘ−ＣｏｎｆｉｇＤｅｄｉｃａｔｅｄを図示する。
【図６Ｂ】図６Ａ−６Ｂは、ある実装による例示的ＩＥ  ＳＬ−Ｖ２Ｘ−ＣｏｎｆｉｇＤｅｄｉｃａｔｅｄを図示する。
【００２８】
【図７】図７は、ある実装による例示的ＩＥ  ＵＥ−ＥＵＴＲＡ−Ｃａｐａｂｉｌｉｔｙ−ｖ１４ｘｙ−ＩＥｓを図示する。
【００２９】
【図８】図８は、ある実装による明示的指示のための例示的ＩＥを図示する。
【００３０】
【図９】図９は、ある実装によるサイドリンクスケジューリングプロセスを図示する例示的フロー図を図示する。
【００３１】
【図１０】図１０は、ある実装によるサイドリンク課金調整プロセスを図示する例示的フロー図を図示する。
【００３２】
【図１１】図１１は、ある実装による別のサイドリンク課金調整プロセスを図示する例示的フロー図を図示する。
【００３３】
【図１２】図１２は、ある実装によるデュアルコネクティビティ動作のためのサイドリンク通信構成方法を図示する例示的ブロック図である。
【００３４】
【図１３】図１３は、ある実装によるＰＲＡＣＨプリアンブルの後続のメッセージの中で応答ベクトルを伝送するためのプロセスを図示する例示的フロー図である。
【００３５】
【図１４】図１４は、例示的ユーザ機器（ＵＥ）デバイスを図示するブロック図である。
【００３６】
【図１５】図１５は、例示的基地局デバイスを図示するブロック図である。
【発明を実施するための形態】
【００３７】
種々の図面における同様の参照番号および記号は、同様の要素を示す。
【００３８】
図１は、ある実装による例示的無線通信システム１００である。例示的無線通信システム１００は、サービスサーバ１３０ａおよびＭｅＮＢ１２０ａを含む第１のＭＮＯネットワーク１４０ａと、サービスサーバ１３０ｂおよびＭｅＮＢ１２０ｂを含む第２のＭＮＯネットワーク１４０ｂと、Ｖ２Ｘサーバ１３２およびＳｅＮＢ１５２を含むＶ２Ｘ  ＭＮＯネットワーク１５０とを含む。
【００３９】
無線通信ネットワーク、例えば、第１のＭＮＯネットワーク１４０ａ、第２のＭＮＯネットワーク１４０ｂ、またはＶ２Ｘ  ＭＮＯネットワーク１５０は、ロングタームエボリューション（ＬＴＥ）、ＬＴＥアドバンスト（ＬＴＥ−Ａ）、５Ｇ  ＲＡＴ（ＮＲ）、グローバルシステムフォーモバイルコミュニケーション（ＧＳＭ（登録商標））、汎用パケット無線サービス（ＧＰＲＳ）、ＧＳＭ（登録商標）進化型高速データレート（ＥＤＧＥ）、暫定基準９５（ＩＳ−９５）、符号分割多重アクセス（ＣＤＭＡ）２０００、最適化進化データ（ＥＶＤＯ）、またはユニバーサルモバイルテレコミュニケーションズシステム（ＵＭＴＳ）等の無線アクセス技術（ＲＡＴ）を実装し得る。多くの用途では、ＭＮＯネットワークは、無線アクセスネットワーク（ＲＡＮ）と、コアネットワークとを含む。ＲＡＮは、少なくとも１つの基地局を含む。基地局は、全てまたは少なくともいくつかの無線関連機能を制御し得る無線基地局であり得る。基地局は、モバイルデバイスが通信するための無線カバレッジエリアまたはセルとの１つ以上の無線インターフェースを提供し得る。１つまたは複数の基地局は、広いカバレッジエリアを提供するように、セルラーネットワークの全体を通して分配され得る。基地局は、１つまたは複数のモバイルデバイス、他の基地局、および１つ以上のコアネットワークノードと直接通信する。基地局は、コアネットワークまたは他の無線ネットワークノードに接続される制御ユニットと、制御ユニットに接続される無線カバレッジを提供する１つ以上の分散型ユニットとを備え得る。基地局は、ノードＢ、進化型ノードＢ（ｅＮＢ）、次世代（すなわち、５Ｇ）ノードＢ（ｇＮＢ）、またはアクセスポイント（ＡＰ）であり得る。基地局は、サービングセルｅＮＢ、一次ｅＮＢ、ＭｅＮＢ、例えば、ＭｅＮＢ１２０ａまたは１２０ｂ、もしくは二次ＳｅＮＢ、例えば、ＳｅＮＢ１５２として動作し得る。
【００４０】
無線通信ネットワークは、１つ以上のアプリケーションサーバ、例えば、サービスサーバ１３０ａ−ｂ、もしくはＶ２Ｘサーバ１３２も含む。アプリケーションサーバは、サービスを無線通信ネットワークに関連付けられるＵＥに提供するように構成されるアプリケーション、アプリケーションの組、ソフトウェア、ソフトウェアモジュール、ハードウェア、またはそれらの組み合わせであり得る。例えば、サービスサーバ１３０ａ−ｂは、それぞれ、テレマティックス、インフォテインメント、または任意の他のサービスをＭＮＯネットワーク１４０ａ−ｂに関連付けられるＵＥに提供し得る。Ｖ２Ｘサーバ１３２は、Ｖ２Ｘ  ＭＮＯネットワーク１５０によってカバーされる地理的地域内のＵＥのためのＶ２Ｘ通信サービスを認可および提供することができる。
【００４１】
無線通信ネットワークは、コアネットワークも含むこともできる。コアネットワークは、コアネットワークサービスを無線通信ネットワークに関連付けられるＵＥに提供する１つ以上のコアネットワーク（ＣＮ）ノードを含む。コアネットワークは、進化型パケットコアネットワーク（ＥＰＣ）または５Ｇコアネットワーク（５Ｇ−ＣＮもしくはＮＧＣ）であり得、ＲＡＮとインターネットとの間に通信チャネルを提供することができる。コアネットワークは、モビリティ管理エンティティ（ＭＭＥ）と、ゲートウェイと、ホームサブスクライバサーバ（ＨＳＳ）とを含む。ＭＭＥは、コアネットワークのためのモビリティ管理機能を提供するように構成され得るアプリケーション、アプリケーションの組、ソフトウェア、ソフトウェアモジュール、ハードウェア、またはそれらの組み合わせを含む。ある場合、ＭＭＥは、アイドルモードＵＥページング、ベアラアクティブ化／非アクティブ化プロセス、アタッチプロセス、非アクセス層（ＮＡＳ）シグナリングのための暗号化／完全性保護、ＲＡＴ間のモビリティのための制御プレーン機能等を含む１つ以上の機能を果たすことができる。ＭＭＥは、アタッチ状態におけるＵＥのための非アクセス層（ＮＡＳ）コンテキストを保持することができる。ＮＡＳコンテキストは、ＵＥのためのＮＡＳセキュリティコンテキストを含む。
【００４２】
ゲートウェイは、コアネットワーク１２０のためのユーザプレーン機能を提供するように構成され得るアプリケーション、アプリケーションの組、ソフトウェア、ソフトウェアモジュール、ハードウェア、またはそれらの組み合わせを含む。ある場合、ゲートウェイは、１つ以上のサービングセルゲートウェイ（ＳＧＷ）、パケットデータネットワーク（ＰＤＮ）ゲートウェイ（Ｐ−ＧＷ）、もしくはそれらの組み合わせを含むことができる。ＨＳＳは、コアネットワークのためのサブスクリプション情報を提供するように構成され得るアプリケーション、アプリケーションの組、ソフトウェア、ソフトウェアモジュール、ハードウェア、またはそれらの組み合わせを含む。ＨＳＳは、ユーザ関連およびサブスクリプション関連情報を記憶するデータベースを含むことができる。ＨＳＳは、モビリティ管理、コールおよびセッション確立サポート、ユーザ認証、ならびにアクセス認可等の機能性を提供する。ある場合、ＨＳＳは、１つ以上のホームロケーションレジスタ（ＨＬＲ）、認証センタ（ＡｕＣ）、もしくはそれらの組み合わせを含むことができる。
【００４３】
例示的無線通信システム１００は、ＵＥ１０２ａ、１０４ａ、１０２ｂ、および１０４ｂも含む。これらのＵＥは、異なる一次ネットワークに関連付けられ得る。例えば、ＵＥ１０２ａおよび１０４ａは、第１のＭＮＯネットワーク１４０ａに関連付けられる。したがって、ＵＥ１０２ａおよび１０４ａは、それぞれ、第１のＭＮＯネットワーク１４０ａのＭｅＮＢ１２０ａとのＵｕインターフェース接続１１２ａおよび１１４ａを有する。ＵＥ１０２ａおよび１０４ａは、これらのＵｕインターフェース接続を経由して、第１のＭＮＯネットワーク１４０ａのサービスサーバ１３０ａからインフォテインメントまたはテレマティックスサービスを受信することができる。同様に、ＵＥ１０２ｂおよび１０４ｂは、第２のＭＮＯネットワーク１４０ｂに関連付けられる。したがって、ＵＥ１０２ｂおよび１０４ｂは、それぞれ、第２のＭＮＯネットワーク１４０ｂのＭｅＮＢ１２０ｂとのＵｕインターフェース接続１１２ｂおよび１１４ｂを有する。ＵＥ１０２ｂおよび１０４ｂは、これらのＵｕインターフェース接続を経由して、第２のＭＮＯネットワーク１４０ｂのサービスサーバ１３０ｂからインフォテインメントまたはテレマティックスサービスを受信することができる。
【００４４】
図示されるように、ＵＥ１０２ａ、１０４ａ、１０２ｂ、および１０４ｂは、デュアルコネクティビティモードで動作し、したがって、それらは、それらのそれぞれのＭｅＮＢとのそれらの接続に加えて、それぞれ、ＳｅＮＢ１５２とのＵｕインターフェース接続１１６ａ、１１６ｂ、１１６ｃ、および１１６ｄも有する。加えて、ＭｅＮＢ１２０ａ−ｂは、それぞれ、Ｘ２インターフェース接続１２４ａ−ｂを経由してＳｅＮＢ１５２と接続される。動作時、ＵＥ１０２ａ、１０４ａ、１０２ｂ、および１０４ｂは、サイドリンク通信のためのリソースの要求をＳｅＮＢ１５２に、ＳｅＮＢ１５２に直接、またはそれらのそれぞれの一次ＭｅＮＢ（ＭｅＮＢ１２０ａ−ｂ）を介して、送信し、ＳｅＮＢ１５２から直接、またはそれらのそれぞれの一次ＭｅＮＢを介して、ＳｅＮＢ１５２からサイドリンク構成情報を受信することができる。さらに、ＳｅＮＢ１５２は、これらのＵＥが互いの間でＶ２Ｘサイドリンク通信を実施するためのスケジューリングおよび同期化機能を提供することができる。図２−１５は、これらの実装の追加の詳細を提供する。
【００４５】
一般的説明に取り掛かると、ＵＥ、例えば、ＵＥ１０２ａ、１０４ａ、１０２ｂ、または１０４ｂは、限定ではないが、以下のうちのいずれかを含み得る：コンピューティングデバイス、モバイルデバイス、モバイル電子デバイス、ユーザデバイス、移動局、サブスクライバ局、携帯用電子デバイス、モバイル通信デバイス、無線モデム、無線端末、乗り物デバイス。図１に図示されるように、ＵＥは、乗り物内に取り付けられたモジュールまたは特設移送可能モジュールを含み得る。ある場合、ＵＥは、汎用サブスクライバ識別モジュール（ＵＳＩＭ）、汎用集積回路カード（ＵＩＣＣ）、または組み込みＵＩＣＣ（ｅＵＩＣＣ）を組み込むモバイル機器（ＭＥ）を含み得る。ＵＥの例は、携帯電話、携帯情報端末（ＰＤＡ）、スマートフォン、ラップトップ、タブレット、パーソナルコンピュータ（ＰＣ）、ポケットベル、携帯用コンピュータ、携帯用ゲームデバイス、ウェアラブル電子デバイス、健康／医療／フィットネスデバイス、カメラ、乗り物、または無線通信接続を介して音声もしくはデータを通信するためのコンポーネントを有する他のモバイル通信デバイスを含み得る。無線通信ネットワークは、認可スペクトルおよび無認可スペクトルのうちの少なくとも１つを経由した無線リンクを含み得る。用語「ＵＥ」は、ユーザのための通信セッションを終了し得る任意のハードウェアまたはソフトウェアコンポーネントを指すこともできる。加えて、用語「ユーザ機器」、「ＵＥ」、「ユーザ機器デバイス」、「ユーザエージェント」、「ＵＡ」、「ユーザデバイス」、「ＰｒｏＳｅ対応型ＵＥ」、「遠隔ＵＥ」、「乗り物ＵＥ」、および「モバイルデバイス」は、本明細書では同義的に使用されることができる。
【００４６】
図１の要素は、種々の特徴および機能性を実装する種々のコンポーネント部品、部分、またはモジュールを含むものとして示されるが、それでもなお、これらの要素は、代わりに、必要に応じて、いくつかのサブモジュール、第三者サービス、コンポーネント、ライブラリ等を含み得る。さらに、種々のコンポーネントの特徴および機能性は、必要に応じて、より少ないコンポーネントに組み合わせられることができる。
【００４７】
図２は、ある実装によるデュアルコネクティビティ構成プロセス２００を図示する例示的フロー図である。プロセス２００は、示される順序で、または異なる順序で実施され得る追加の、より少ない、または異なるステップを使用して、実装されることができる。
【００４８】
ステップ１では、ＵＥ１は、ｓｉｄｅｌｉｎｋＵＥｉｎｆｏｒｍａｔｉｏｎメッセージを第１のＭＮＯのサービングセルセル（例えば、サービングセルｅＮＢ）に送信し、例えば、ＵＥ１がＶ２Ｘサイドリンク通信を確立することに関心がある周波数のインデックスを含むことによって、ＵＥ１がＶ２Ｘサービスを確立することに関心があることを示す。示された周波数は、（例えば、ＩＥ  ｖ２ｘ−ＣｏｍｍＲｘＩｎｔｅｒｅｓｔｅｄＦｒｅｑを介して）Ｖ２Ｘ情報を受信すること（例えば、ＩＥ  ｖ２ｘ−ＣｏｍｍＴｘＦｒｅｑを介して）Ｖ２Ｘ情報を伝送すること、またはそれらの組み合わせを行うために使用される周波数であり得る。示された周波数インデックスは、周波数がＳＩＢ２１の中に含まれるＩＥ  ｖ２ｘ−ＩｎｔｅｒＦｒｅｑＩｎｆｏＬｉｓｔの中に含まれる順序によるものであり得、ＳＩＢ２１は、サービングセルｅＮＢによって伝送されるか、または代替として所望のＶ２ｘサービスを運営する第２のＭＮＯの標的ｅＮＢ（例えば、Ｖ２Ｘ標的ＳｅＮＢ）によって伝送される。代替として、情報は、ＵＥ１またはＵＥ１のＵＩＣＣ、ｅＵＩＣＣ、もしくはＵＳＩＭの中に事前構成またはハードコピーされることができる。Ｖ２Ｘ  ｅＮＢのための周波数は、ＵＥ１がネットワークまたはＶ２Ｘアプリケーションサーバへの登録を実施するときに提供されるか、または、例えば、規制の枠組みを介して、所与の地理的地域内で使用するために事前構成されることもしくは割り当てられることもできる。これは、周波数が現在のサービングまたは登録された公衆陸上モバイルネットワーク（ＰＬＭＮ）によって所有または管理されない周波数である場合を含む。
【００４９】
ＵＥから指示を受信すると、サービングセルｅＮＢは、ステップ２において、１つ以上のＶ２Ｘ標的ＳｅＮＢ伝送周波数（その周波数に基づいて、Ｖ２Ｘ標的ＳｅＮＢがＵＥ１によって検出され得る）でＵＥ１を構成し、ＵＥ１は、ＵＥ識別（ＵＥ  ＩＤ１）に基づいてｅＮＢによって識別され得る。サービングセルｅＮＢは、構成された測定情報をＵＥ１に伝送する。構成測定情報は、伝送周波数を含む。したがって、ＵＥ１は、構成されたＶ２Ｘ標的ＳｅＮＢ伝送周波数に対して関連測定を実施し、それをサービングセルＭＮＯのｅＮＢに報告することができる。
【００５０】
ある場合、サービングセルｅＮＢは、測定情報を構成する前、ＵＥ１がデュアルコネクティビティ構成を介したＶ２Ｘサイドリンク通信をサポートすることを確認することができる。例えば、ＵＥ１は、ＩＥ  ＵＥ−ＥＵＴＲＡ−Ｃａｐａｂｉｌｉｔｙを介して、この能力を進化型ユニバーサルモバイルテレコミュニケーションズシステム（ＵＭＴＳ）地上波無線アクセスネットワーク（Ｅ−ＵＴＲＡＮ）に示すことができる。ＵＥ１は、ｓｉｄｅｌｉｎｋＵＥｉｎｆｏｒｍａｔｉｏｎメッセージの中でこの能力を示すこともでき、ネットワークによる能力の受信は、ｅＮＢが標的周波数のための測定でＵＥを構成することにつながる。
【００５１】
ある場合、標的周波数情報の包含は、ＵＥ１がＳｅＮＢ伝送周波数をすでに認識している場合、随意であり得る。これは、例えば、そのような情報が、例えば、サービングセルｅＮＢのＳＩＢ２１の中で受信されるようなシステム情報において利用可能である場合に当てはまり得、または、情報は、ＵＥ１のＵＩＣＣ、ｅＵＩＣＣ、もしくはＵＳＩＭの中で事前構成され得、または、周波数は、ＵＥ１が登録を実施するときにサービングセルネットワークによって提供され、または、例えば、規制の枠組みを介して、所与の地理的地域内で使用するために事前構成され得るか、または割り当てられ得る。
【００５２】
ステップ３で、ＵＥ１は、測定結果をサービングセルｅＮＢに伝送する。測定結果は、標的ＳｅＮＢへのＵＥ１の相対近接性を示すか、または、例えば、標的ＳｅＮＢ周波数の測定された相対受信信号強度が無線リンクが標的ＳｅＮＢと確立および／または維持され得る好適なレベルにあること、またはそれを上回ることを示すことによって、サービングセルｅＮＢが標的ＳｅＮＢへのＵＥ１の相対近接性を決定することを可能にし得る。
【００５３】
ステップ４で、サービングセルｅＮＢは、ＳｅＮＢへの追加要求メッセージを受信された測定結果の中で識別される標的ＳｅＮＢに伝送する。標的ＳｅＮＢは、Ｖ２Ｘサービスを運営し、サイドリンク無線リソースを管理している。標的ＳｅＮＢは、サービングセルｅＮＢを運営しているＭＮＯと異なるＭＮＯによって運営され得る。ＳｅＮＢ追加要求メッセージは、ＵＥ１がサービス認可、アクセス許可、およびＶ２Ｘサービスのためのサイドリンクリソースを要求することを示す指示情報要素（ＩＥ）を含むことができる。この指示は、Ｖ２Ｘサービスへの関心を表すためにＵＥ１によって送信され、サービングセルｅＮＢがステップ１においてＵＥ１から受信したｓｉｄｅｌｉｎｋＵＥｉｎｆｏｒｍａｔｉｏｎメッセージであり得る。標的ＳｅＮＢ追加要求メッセージは、要求ＵＥを示すＵＥ識別、例えば、ＵＥ１  ＩＤ１を含むこともできる。
【００５４】
ある場合、サービングセルｅＮＢは、標的ＳｅＮＢを選定し、ＳｅＮＢ追加要求メッセージを送信する。サービングセルｅＮＢは、以下の要因のうちの１つ以上のものに基づいて、この選定を行うことができる：
サイドリンク情報を提供し得る標的ＳｅＮＢを決定するサービングセルｅＮＢ内の事前構成；
最も強い測定結果を伴う標的ＳｅＮＢ；
ＵＥ１とサービングセルｅＮＢを運営するオペレータとの間のサービス合意；
ＵＥ１からの明示的指示；
他の実装特有の要因。
【００５５】
ステップ５で、標的ＳｅＮＢは、要求に応じて、ネットワーク内の別のＶ２Ｘサービスエンティティ、例えば、Ｖ２Ｘアプリケーションサーバ、ＨＳＳの助けを借りて、要求される任意の認可機能、承認制御を実施し、ＳｅＮＢ追加要求確認応答メッセージをＭｅＮＢに伝送する。ＳｅＮＢ追加要求確認応答メッセージは、ＵＥ１のためのサイドリンク構成情報を含む。ＳｅＮＢ追加要求確認応答メッセージは、ＵＥが第２のＭＮＯの標的ＳｅＮＢ内で識別されるＵＥの代替的かつ追加の識別、例えば、ＵＥ１  ＩＤ２を含むこともできる。サイドリンク構成情報は、サイドリンク通信構成またはサイドリンクディスカバリ周波数、リソース構成、もしくはそれらの組み合わせを含むことができる。サイドリンク構成情報は、新しい専用ＲＲＣメッセージまたはコンテナの中、または、既存のＲＲＣメッセージまたはコンテナの中、例えば、ＳＣＧ−Ｃｏｎｆｉｇ内にカプセル化されることができる。
【００５６】
サービングセルｅＮＢは、サイドリンク構成とＵＥ  ＩＤ２とを含むＵＥ構成を標的ＳｅＮＢから受信すると、ＵＥ  ＩＤ１から標的ＳｅＮＢへのマッピングを作成し、記憶し、マッピングは、含まれる場合、標的ＳｅＮＢのために意図される限り、ＵＥからのメッセージの将来の取り扱いで使用されるべきＵＥ  ＩＤ２を含む。各ＵＥ識別は、大域的に一意の一時識別子（ＧＵＴＩ）、一時モバイルサブスクライバ識別（ＴＭＳＩ）、国際モバイルサブスクライバ識別（ＩＭＳＩ）、セル無線ネットワーク一時識別子（ＣＲＮＴＩ）、ＰｒｏＳｅ  ＵＥ  ＩＤ、ＰｒｏＳｅレイヤ−２グループＩＤ、Ｖ２Ｘ  ＵＥ  ＩＤまたはＶ２Ｘレイヤ−２グループＩＤ、ＳｅＮＢ  Ｘ２ＡＰ  ＩＤ、ＭｅＮＢ  Ｘ２ＡＰ  ＩＤ等のうちの１つであり得る。
【００５７】
ステップ６で、サービングセルｅＮＢは、無線リソース制御（ＲＲＣ）接続再構成メッセージをＵＥ１に伝送する。ＲＲＣ接続再構成メッセージは、サービングセルｅＮＢがステップ５において受信するサイドリンク構成情報を含む。ある場合、サービングセルｅＮＢは、修正を伴わずにステップ５において受信されるサイドリンク構成情報を転送する。ある場合、サービングセルｅＮＢは、サービングセルｅＮＢの中に記憶される構成された情報に対して、受信されたサイドリンク構成情報をチェックすることができる。サービングセルｅＮＢは、いかなる修正も伴わずに受信されたサイドリンク構成を伝送することができ、このアプローチは、透過的トンネリングと称される。代替として、サービングセルｅＮＢは、受信されたサイドリンク構成情報をチェックし、サイドリンク構成情報をＵＥに伝送する前、それを修正することができる。このアプローチは、非透過的トンネリングと称される。サービングセルｅＮＢは、将来の回収または参照のための基準としてＵＥ識別、例えば、ＵＥ  ＩＤ１を使用して、サービングセルｅＮＢ内に受信されたサイドリンク構成を記憶し得、追加の情報、例えば、標的ＳｅＮＢ識別またはセル識別、例えば、セルＩＤを含み得る。デュアルコネクティビティ構成およびサイドリンク構成を伴うＲＲＣＣｏｎｎｅｃｔｉｏｎＲｅｃｏｎｆｉｇｕｒａｔｉｏｎメッセージを受信することに応答して、ＵＥが再構成メッセージを容認する場合、すなわち、含まれるパラメータが有効と見なされる場合、ＵＥは、先に進み、ＲＲＣＣｏｎｎｅｃｔｉｏｎＲｅｃｏｎｆｉｇｕｒａｔｉｏｎメッセージの中に含まれるサイドリンク構成を含むように、そのＲＲＣ構成を再構成する。
【００５８】
ＲＲＣ再構成を正常に完了すると、ＵＥは、ＲＲＣＣｏｎｎｅｃｔｉｏｎＲｅｃｏｎｆｉｇｕｒａｔｉｏｎＣｏｍｐｌｅｔｅメッセージをサービングセルｅＮＢに送信し、ＵＥ  ＲＲＣ内で、まだ構成されていない場合、デュアルコネクティビティ構成をアクティブにし、ＳｅＮＢのための受信されたサイドリンク構成に従って、サイドリンク構成を確立する。ＲＲＣＣｏｎｎｅｃｔｉｏｎＲｅｃｏｎｆｉｇｕｒａｔｉｏｎＣｏｍｐｌｅｔｅメッセージを受信すると、サービングセルｅＮＢは、ＳｅＮＢとのデュアルコネクティビティ構成の構成を確認する。サービングセルｅＮＢは、ここで、ＭｅＮＢとして既知であり、ＭｅＮＢおよびＳｅＮＢは、デュアルコネクティビティ構成を介したＶ２Ｘサービスの配信のための対応するデータ無線ベアラを確立する。
【００５９】
ステップ７で、サイドリンクを介してデータを交換する必要があるという決定後、ＵＥ１とＵＥ２とは、サイドリンクＶ２Ｘ通信を確立する。ＵＥ１およびＵＥ２は、ステップ６において伝達されるサイドリンク構成情報においてＵＥ１に構成されたサイドリンクリソースを経由して情報を伝送および受信する。
【００６０】
ある場合、例えば、ＵＥが地理的カバレッジを変更することに起因して、サイドリンク構成が変化する必要があるとき、ＭｅＮＢは、ＳｅＮＢから更新されたサイドリンク構成情報を受信することもでき、したがって、ＭｅＮＢは、透過的または非透過的に更新されたサイドリンク構成情報をＵＥに伝送する。ＭｅＮＢは、ＵＥ１  ＩＤ１、ＵＥ１  ＩＤ２、またはそれらの組み合わせの識別に関連付けて、更新されたサイドリンク構成情報をＭｅＮＢの中に記憶することもできる。ＭｅＮＢは、関連付けられるＳｅＮＢ識別またはセルＩＤを記憶することもできる。
【００６１】
ある場合、ＳｅＮＢ  ＳＣＧ内変更またはＰＳセルＳＣＧ内変更のために要求されるようなＵＥのためのサイドリンク構成の変更がある場合、ＭｅＮＢまたはＳｅＮＢは、ＵＥコンテキスト情報を設定、修正、または解放するための（再）構成メッセージを生成することができる。このメッセージは、ＭｅＮＢまたはＳｅＮＢによって、それぞれ、ＭｅＮＢ  ｔｏ  ＳｅＮＢ  ｃｏｎｔａｉｎｅｒまたはＳｅＮＢ  ｔｏ  ＭｅＮＢ  ｃｏｎｔａｉｎｅｒ内に含められ、対応するノードに転送され得る。
【００６２】
以下の説明は、プロセス２００の追加の詳細を提供する。
【００６３】
ＵＥ１のためのサイドリンクリソースを追加するために、以下のプロシージャが実施される：
ＭｅＮＢは、ＵＥ１がサイドリンクＶ２Ｘリソースを提供することに関与する標的ＳｅＮＢに近接していることを決定する；
サービングセルｅＮＢは、Ｖ２Ｘサービスのサポートのために標的ＳｅＮＢからＵＥ１のためのｅデュアルコネクティビティ構成の設定を要求する。
【００６４】
標的ＳｅＮＢは、承認制御を実施し、成功した場合、ＭｅＮＢに向かってＵＥサイドリンクリソース構成を提供する。
【００６５】
ＭｅＮＢは、標的ＳｅＮＢベースのサイドリンクリソース（すなわち、ＳｅＮＢによって提供され、その制御下にあるサイドリンクリソース）を含むデュアルコネクティビティ（ＳＣＧ）構成でＵＥ１を構成する。
【００６６】
ＵＥは、最初に、例えば、ｓｉｄｅｌｉｎｋＵＥｉｎｆｏｒｍａｔｉｏｎメッセージをＭｅＮＢに伝送することによって、サイドリンクベースのＶ２Ｖ／Ｖ２Ｘ通信に関心があることを示す（３ＧＰＰ  ＴＳ  ３６．３００参照）。この指示を受信すると、ＭｅＮＢは、ＳｅＮＢがＵＥによって検出され得る伝送周波数を示す測定構成でＵＥを構成する。ＳｅＮＢ測定のための測定構成は、現在のデュアルコネクティビティ動作に使用されるものと同一であり得る。ＵＥが、測定構成の中に含まれるＳｅＮＢまたはＳｅＮＢの関連付けられるセルに近接している場合（例えば、要求される伝送周波数または搬送波の測定が、測定結果を生成するための特定のトリガを満たすためのある閾値を上回る場合）、測定レポートがトリガされ、ＭｅＮＢによって制御されるようなＵＥのサービングセルに送信される。
【００６７】
ＭｅＮＢは、次いで、ＵＥ１がＳｅＮＢによって制御されるリソースを使用してＶ２Ｘサービスを確立することを可能にするために、ＳｅＮＢにコンタクトし、ＵＥのためのデュアルコネクティビティ設定を要求する。ＳｅＮＢは、承認制御を実施し、ＵＥ１がＶ２Ｘリソースへのアクセスを有することを可能にされるかどうか、および十分なリソースが利用可能であるかどうかを決定し、成功した場合、ＳｅＮＢは、リソースを配分されたＵＥ１のための構成をＭｅＮＢに提供する。ＭｅＮＢは、次いで、デュアルコネクティビティ構成でＵＥ１を構成し、ＳｅＮＢによって構成されるサイドリンクリソースをＵＥ１に提供する。
【００６８】
ある場合、サイドリンク構成情報は、ＳＣＧ−Ｃｏｎｆｉｇメッセージの中に含まれることができ、ＳＣＧ−Ｃｏｎｆｉｇメッセージは、Ｘ２インターフェースを介してＳｅＮＢからＭｅＮＢに送信されるＳｅＮＢ追加要求確認応答メッセージの中のＳｅＮＢからＭｅＮＢへのコンテナＩＥの中に含まれる。サイドリンク構成は、新しいＩＥとして含まれることができる。
【００６９】
図３は、ある実装による例示的ＳＣＧ−Ｃｏｎｆｉｇメッセージを例証する。例証されるように、例示的ＳＣＧ−Ｃｏｎｆｉｇメッセージは、ＩＥ  ｓｃｇ−ＲａｄｉｏＣｏｎｆｉｇ−ｒ１２を含む。ある場合、ＩＥ  ｓｃｇ−ＲａｄｉｏＣｏｎｆｉｇ−ｒ１２は、情報要素（ＩＥ）、例えば、ＳｅＮＢによって制御されるリソースを使用してＵＥのために構成されるようなサイドリンク動作のためのサイドリンク通信および／またはサイドリンクディスカバリリソースのための要求される構成の詳細を提供するサイドリンク構成情報を含むｓｌＣｏｎｆｉｇＳＣＧ−ｒ１５をさらに含むことができる。ある場合、ＩＥ  ｓｌＣｏｎｆｉｇＳＣＧ−ｒ１５は、詳細なサイドリンクＩＥの形態で詳細なサイドリンク構成情報を含むことができる。図４は、ある実装による例示的ＩＥ  ｓｌＣｏｎｆｉｇＳＣＧ−ｒ１５を図示する。図示されるように、例示的ＩＥ  ｓｌＣｏｎｆｉｇＳＣＧ−ｒ１５は、３ＧＰＰ  ＴＳ  ３６．３３１において記録されているＳＬ−ＣｏｍｍＣｏｎｆｉｇ、ＳＬ−ＣｏｍｍＲｅｓｏｕｒｃｅＰｏｏｌ、ＳＬ−ＣＰ−Ｌｅｎ、ＳＬ−ＤｉｓｃＣｏｎｆｉｇ、ＳＬ−ＤｉｓｃＲｅｓｏｕｒｃｅＰｏｏｌ、ＳＬ−ＤｉｓｃＴｘＰｏｗｅｒＩｎｆｏ、ＳＬ−ＧａｐＣｏｎｆｉｇ，ＳＬ−ＧａｐＲｅｑｕｅｓｔ、ＳＬ−ＨｏｐｐｉｎｇＣｏｎｆｉｇ、ＳＬ−ＳｙｎｃＣｏｎｆｉｇ、ＳＬ−ＳＳＩＤ、Ｖ２Ｘ−ＳｙｎｃＣｏｎｆｉｇ、ＳＬ−Ｖ２Ｘ−ＣｏｎｆｉｇＤｅｄｉｃａｔｅｄ等のサイドリンク構成ＩＥを含むことができる。
【００７０】
ある場合、減らされた数の情報要素が、ＩＥ  ｓｃｇ−ＲａｄｉｏＣｏｎｆｉｇ−ｒ１２の中に、または代替として、ＳＣＧ−Ｃｏｎｆｉｇメッセージの中に直接、含まれ得る。図５は、ある実装によるＩＥ  ｓｌＣｏｎｆｉｇＳＣＧ−ｒ１５の別の例を例証する。例証されるように、別の例示的ＩＥ  ｓｌＣｏｎｆｉｇＳＣＧ−ｒ１５は、図４に示されるような情報の一部を含むことができる。
【００７１】
図６（図６Ａおよび６Ｂを含む）は、ある実装による例示的ＩＥ  ＳＬ−Ｖ２Ｘ−ＣｏｎｆｉｇＤｅｄｉｃａｔｅｄを図示する。図６に示されるように、Ｖ２Ｘサイドリンク通信のためのサービング搬送波周波数以外の搬送波周波数の同期化およびリソース配分構成を示すＩＥ  ｖ２ｘ−ＩｎｔｅｒＦｒｅｑＩｎｆｏＬｉｓｔ−ｒ１４は、Ｖ２Ｘサイドリンク通信のためのサイドリンク構成を含むＩＥ  ＳＬ−Ｖ２Ｘ−ＣｏｎｆｉｇＤｅｄｉｃａｔｅｄの中に含まれる。
【００７２】
ＳＣＧ−Ｃｏｎｆｉｇメッセージが定義される３ＧＰＰ  ＴＳ  ３６．３３１を参照すると、以下の変更が、ＳＣＧ−Ｃｏｎｆｉｇメッセージにおいて、サイドリンク構成の追加を可能にするために必要である。
【００７３】
要約すると、ＳＣＧ−Ｃｏｎｆｉｇ情報要素（ＩＥ）は、メッセージの中に含まれるべき新しいサイドリンク構成ＩＥに適応するように修正される。サイドリンク構成ＩＥは、ｓｌＣｏｎｆｉｇＳＣＧ−ｒ１５  ＩＥとして上で示される。このＩＥは、サイドリンク通信およびディスカバリリソースの情報を含む。具体的には、それは、ＳｅＮＢベースのサイドリンクリソースでＵＥ１を構成するために使用される構成ＩＥを含む。
【００７４】
ＳｅＮＢからのコンテナの中のＳＣＧ−Ｃｏｎｆｉｇ  ＩＥを受信すると、サービングセルｅＮＢまたはＭｅＮＢは、改変されていないメッセージを転送するか（すなわち、透過的トンネリング）、または、あるフィールドを変更し、このメッセージをＵＥに送信する（すなわち、非透過的トンネリング）。
【００７５】
図７は、ある実装による例示的ＵＥ−ＥＵＴＲＡ−Ｃａｐａｂｉｌｉｔｙ情報要素、すなわち、ＵＥ−ＥＵＴＲＡ−Ｃａｐａｂｉｌｉｔｙ−ｖ１４ｘｙ−ＩＥｓを図示する。図示されるように、ＵＥ−ＥＵＴＲＡ−Ｃａｐａｂｉｌｉｔｙ−ｖ１４ｘｙ−ＩＥｓは、ＵＥが、デュアルコネクティビティ構成を使用して、ＳｅＮＢを介したＶ２Ｘサイドリンク通信をサポートするかどうかを示すＩＥ  ｓｌ−ｐａｒａｍｅｔｅｒｓ−ｖ１４ｘｙを含む。ある場合、ＩＥ  ｖ２ｘ−ｄｃＣｏｎｆｉｇ−ｒ１４は、例えば、値１または０、代替として、ＴＲＵＥまたはＦＡＬＳＥを設定することによって、ＵＥが、デュアルコネクティビティ構成を使用して、ＳｅＮＢを介したＶ２Ｘサイドリンク通信をサポートするかどうかを示すように、設定されることができる。代替として、ＵＥは、ＵＥが、デュアルコネクティビティ構成を使用して、ＳｅＮＢを介したＶ２Ｘサイドリンク通信をサポートすることを示すためのＩＥ  ｖ２ｘ−ｄｃＣｏｎｆｉｇ−ｒ１４を含み、ＩＥ  ｖ２ｘ−ｄｃＣｏｎｆｉｇ−ｒ１４を省略し、ＵＥが、デュアルコネクティビティ構成を使用して、ＳｅＮＢを介したＶ２Ｘサイドリンク通信をサポートしないことを示すことができる。
【００７６】
図２に戻ると、ある場合、デュアルコネクティビティベースのアーキテクチャでは、サイドリンクリソーススケジューラがＳｅＮＢの中に位置する場合、ＵＥ、例えば、ＵＥ１は、動的サイドリンクリソース要求、例えば、サイドリンクバッファステータスレポート（ＢＳＲ）をＭｅＮＢの代わりにＳｅＮＢに選択的に向かわせることができる。これを行うことで、リソース要求のＭｅＮＢ処理に関連付けられる追加の遅延が、回避され得る。
【００７７】
サイドリンク上のスケジュールされた動作モードは、サイドリンク上での衝突のない伝送機会を提供するという利点を有する。したがって、ＳｅＮＢベースのスケジュールされたサイドリンク通信を可能にすることは、サイドリンク伝送の信頼性を向上させることができる。サイドリンクリソース要求（例えば、サイドリンクＢＳＲメッセージ）を特定のｅＮＢ（この例ではＳｅＮＢ）に送信するようにＵＥを構成するために、サービングセルｅＮＢまたはＭｅＮＢは、明示的または暗示的のいずれかで、サイドリンクリソース要求（例えば、ＢＳＲメッセージ）のための意図された宛先ｅＮＢの対応する指示をＵＥに提供し得る。
【００７８】
さらに、サイドリンク伝送は、特定の同期化ソースに同期化される。ＵＥは、サイドリンク同期化ソースの指示（再度、明示的または暗示的のいずれかである）を提供され得る。サイドリンク同期化ソースは、ｅＮＢ（例えば、ＭｅＮＢまたはＳｅＮＢ）、参照ＵＥ（例えば、ｓｙｎｃ−ｒｅｆ−ＵＥ）、または別の同期ソース（例えば、ＧＰＳを介した衛星ベースの同期化）によって提供され得る。
【００７９】
ＳｅＮＢがサイドリンクリソースに関与するデュアルコネクティビティアーキテクチャでは、ＳｅＮＢは、サイドリンク同期化も提供し得る。この場合、ＵＥは、ＭｅＮＢの代わりにＳｅＮＢ、または別の同期ソースから、サイドリンク同期化を選択的に取得することができる。ＭｅＮＢは、明示的または暗示的のいずれかで、ＵＥへの同期化に使用されるｅＮＢの指示を提供し得る。
【００８０】
サイドリンクリソース要求をＳｅＮＢまたはＭｅＮＢ以外の別のｅＮＢに向かわせるようにＵＥを構成するために、ＵＥに提供されるＶ２ＸサイドリンクリソースのＲＲＣ構成は、サイドリンクスケジューリングに関与するノードの識別についてＵＥに提供する指示を含むことができる。この指示は、ＳｅＮＢ追加プロシージャ、例えば、ステップ５中にＶ２Ｘサイドリンクリソースを提供するときに、ＳｅＮＢによって直接含められ、ＭｅＮＢを介してＵＥに送信され得る。代替として、これは、ＳｅＮＢ追加プロシージャ後、ＭｅＮＢによって、ＵＥに直接送信されるＲＲＣ再構成メッセージの中に追加され得る（例えば、ステップ６）。
【００８１】
これらのメッセージのうちの任意のものにおける指示は、明示的であり得る（例えば、スケジューリングに関与するノードを示すＲＲＣ  ＩＥ）。例えば、ＳｅＮＢは、サイドリンクスケジューリングに関与するノードの明示的指示として、ステップ５におけるＳｅＮＢ追加要求確認応答メッセージの中にサイドリンクスケジューリングに関与するノードについて、ノード識別の指示、例えば、ＰＬＭＮ  ｉｄおよびＳｅＮＢ  Ｉｄを含み得る。
【００８２】
指示は、暗示的でもあり得る。例えば、規則の組が、サイドリンクスケジューリングに関与するノードに関して、ＭｅＮＢにおいて構成されることができる。一例では、サイドリンク構成がＳｅＮＢ追加中に受信される場合、または、ＵＥがデュアル接続にあり、その後、ＳｅＮＢからサイドリンクリソースを割り当てられた場合、そのＳｅＮＢがサイドリンクスケジューリングに関与するノードであると理解されることができる。
【００８３】
ステップ６で、ＭｅＮＢは、サイドリンクスケジューリングに関与するノードをＵＥ１に示すことができる。ステップ５と同様に、この指示は、例えば、ＲＲＣ接続再構成メッセージの中にＳｅＮＢのノード識別を含み、明示的であり得る。この指示は、暗示的でもあり得る、例えば、例えば、再構成がデュアルセル接続性構成中にサイドリンク構成を追加するとき、ノード識別がＲＲＣ接続再構成メッセージの中に含まれない場合、ＵＥは、ｅＮＢのうちの１つ（例えば、サイドリンクリソースを管理する、または割り当てるＳｅＮＢ）をサイドリンクスケジューリングソースとして使用するように事前構成されることができる。ＵＥがサイドリンクスケジューリングソースを決定すると、ＵＥは、サイドリンクスケジューリング要求（例えば、サイドリンクＢＳＲ）を決定されたノードに選択的に向かわせる。
【００８４】
図８は、ある実装による明示的指示のための例示的ＩＥを図示する。図８に示されるように、ＲＲＣシグナリングメッセージ（例えば、ＳＣＧ−Ｃｏｎｆｉｇ）は、サイドリンクリソーススケジューリングに関与するｅＮＢを示す追加の指示ＩＥ  ｓｌＳｃｈｅｄｕｌｉｎｇＮｏｄｅと、同期化に使用されるｅＮＢを示すための追加のＩＥ  ｓｌＳｙｎｃＳｏｕｒｃｅとを含むように、強化され得る。そのような指示は、例えば、ＳｅＮＢ追加要求確認応答メッセージを経由して送信されるＳｅＮＢからＭｅＮＢへのコンテナの中でＳｅＮＢからＸ２インターフェース上で受信され得る。そのような指示は、ＭｅＮＢからＵＥに送信されるＳＣＧ−Ｃｏｎｆｉｇを構成するメッセージの中に導入される新しいＩＥの中にも含まれ得る。
【００８５】
ある場合、スケジューリングソースｅＮＢおよび同期化ソースｅＮＢは、同一または異なり得る。
【００８６】
前述で議論されたように、サイドリンクスケジューリングまたはサイドリンク同期化ｅＮＢの指示は、暗示的でもあり得る。この場合、ＵＥは、サイドリンクスケジューリングまたはサイドリンク同期化に関与するノードを決定するように事前構成されることができる。
【００８７】
一例では、ＵＥが、継続中の（すなわち、アクティブな）ＤＣ構成とともに構成されるサイドリンクリソースを有する場合、ＵＥは、ｅＮＢのうちの１つ（例えば、ＭｅＮＢまたはＳｅＮＢ）がサイドリンクスケジューリング、同期化、またはそれらの組み合わせに関与することを決定するように事前構成され得る。例えば、サイドリンクスケジューリングまたは同期化に関与するノードは、ＤＣ構成に関与するＭｅＮＢまたはＳｅＮＢのうちの１つ、もしくは代替として、ある別個に識別されたソースノードに関連付けられているとして、規格に規定され得、したがって、ＵＥは、ＵＥがＤＣ構成になると、それに応じて、関与するノードを決定する。
【００８８】
別の例では、ＳｅＮＢベースのサイドリンク構成がＵＥに提供される場合（例えば、サイドリンク構成が、ＳＣＧ−Ｃｏｎｆｉｇメッセージ、すなわち、ＤＣ構成のＳＣＧ部分を構成するメッセージの中に含まれる場合）、ＵＥは、サイドリンクスケジューリングおよびサイドリンク同期化も、そのＳｅＮＢによって提供されると暗示的に仮定し得る。そうでなければ、ＵＥは、ＭｅＮＢがサイドリンクスケジューリングおよび同期化の両方に関与すると仮定する。
【００８９】
サイドリンクスケジューリングに関与するノードを決定すると、ＵＥは、サイドリンクＢＳＲを決定された関与するｅＮＢに伝送することができる。図９は、ある実装によるサイドリンクスケジューリングプロセス９００を図示する例示的フロー図を図示する。プロセス９００は、示される順序で、または異なる順序で実施され得る追加の、より少ない、または異なるステップを使用して、実装されることができる。
【００９０】
図示されるように、ＭｅＮＢは、サイドリンク構成情報をＵＥに伝送する。サイドリンク構成情報は、ＳｅＮＢがサイドリンクスケジューリングに関与するという指示（明示的指示）を含み得る。ＵＥは、明示的指示の受信を通して、または暗示的指示によってのいずれかで、ＳｅＮＢがサイドリンクスケジューリングに関与することを決定する。新しいデータがＵＥのサイドリンク伝送バッファの中に着信した後、ＵＥは、サイドリンクＢＳＲを生成し、データが伝送のためのＵＥバッファの中にあることを示し、無線リンク、例えば、アップリンクを経由して、このステータスレポートをＳｅＮＢに伝送する。このサイドリンクＢＳＲを受信すると、ＳｅＮＢは、サイドリンクデータを伝送するために使用するサイドリンクリソースを示すサイドリンク許可をＵＥに伝送する。ＵＥは、決定されたサイドリンクリソースを使用して、サイドリンクデータを伝送する。
【００９１】
ＵＥがＳｅＮＢの間で移動すると、ＭｅＮＢは、新しいＳｅＮＢをＵＥに追加することに関与する。これは、ＭｅＮＢが、新しいＳｅＮＢ構成のための更新されたＣＳＧ−Ｃｏｎｆｉｇを使用して、ＲＲＣ接続再構成を実施するようにＵＥに命令し得るＳｅＮＢ修正プロシージャの使用を介して達成されることができる。
【００９２】
ＳｅＮＢが小さい地域に関してカバレッジを提供する場合、それは、高いモビリティを伴うＵＥ（例えば、乗り物）に対して、ＳＣＧ構成を更新するためのＵＥに対するシグナリングオーバーヘッドを増加させる可能性が高い。ＲＲＣシグナリングの量を最小化し、ＳｅＮＢ変更中に導入される遅延を低減させるために、初期ＳｅＮＢ追加中に提供されるＶ２Ｘサイドリンク構成は、ＵＥによって保持され得る。この構成は、例えば、ＲＲＣシグナリングを介して明示的に削除または解放されるまで、無期限に保持され得る。この構成は、限定された基準においても保持され得、例えば、地理的地域または期間内に利用され得る。したがって、ＵＥは、持続的Ｖ２Ｘサイドリンク構成を保つことができ、それは、異なるＳｅＮＢとのスケジュールされたサイドリンク動作のために、現在のＳｅＮＢを越えて、ＵＥによって使用される。
【００９３】
これらの場合において、ＵＥが１つのＳｅＮＢから別のＳｅＮＢに移動するとき、ＳＣＧ構成を提供する新しいＲＲＣ接続再構成メッセージは、サイドリンク構成を除外し得る。再構成メッセージからのサイドリンク情報の除外は、既存のサイドリンク構成を保持し、使用し続けるために、ＵＥが現在位置している地理的地域に関する知識、または既存のサイドリンク構成が構成されている持続時間と組み合わせられ得る。代わりに、新しいＲＲＣ接続再構成メッセージは、詳細な情報または構成を再送信することなく、既存のサイドリンク構成が使用され得るという指示を含むことができる。このアプローチは、ＲＲＣ接続再構成メッセージのサイズを大いに縮小し、故に、ＵＥへの低減したサービス中断を伴う迅速な伝送を提供し得る。代替として、新しいＳｅＮＢにおいて変更される必要があるパラメータのみを含むこと、またはＵＥモビリティによって引き起こされる変更のみに従うことによって、ＲＲＣ再構成メッセージは、改正されたパラメータの追加を伴う以前の構成の継続的使用を可能にするための任意の必要なパラメータのみを送信することによってサイドリンク構成が変更されることを可能にすることができる。
【００９４】
例えば、図４に図示されるＳｌＣｏｎｆｉｇＳＣＧ−ｒ１５の中の構成要素の中でも、ＳＳＩＤが、新しいＳｅＮＢによって再配分され得るが、いくつかまたは他の構成要素は、ＵＥにおいて保持されることができる。これは、ＲＲＣ慣例により、「Ｎｅｅｄ  ＯＮ」としてＳｅＮＢベースのサイドリンク構成内の新しいフィールドを定義することによって、達成されることができる。「Ｎｅｅｄ  ＯＮ」は、シグナリングすることが随意であるフィールドを示すことができる。メッセージがＵＥによって受信される場合、フィールドがない場合において、ＵＥは、いかなるアクションも講じず、適用可能である場合、既存の値および関連付けられる機能性を使用し続ける。
【００９５】
したがって、ＭｅＮＢは、ＳｅＮＢ変更プロシージャを介して、１つのＳｅＮＢから別のＳｅＮＢに移動することをトリガする。ＭｅＮＢは、ＳｅＮＢ追加要求メッセージの中に古い（現在の）ＳｅＮＢからのＳＣＧ構成を含むＳｅＮＢ追加要求メッセージを新しい（または標的）ＳｅＮＢに送信する。
【００９６】
標的ＳｅＮＢは、ＳｅＮＢ追加要求メッセージ、具体的には、ＳＣＧ−ＣｏｎｆｉｇＩｎｆｏメッセージ内に含まれるＵＥのサイドリンク構成を検討する。標的ＳｅＮＢは、サイドリンク構成を更新または複製する必要がないことを決定し得る。代替として、標的ＳｅＮＢは、ＵＥによって使用中であるサイドリンク構成を送信する元のまたは先のＳｅＮＢによってシグナリングされたそれと比較して、ＵＥが、サイドリンク構成の有効性を維持するための同一の地理的地域内にあること、または同一の構成された地域内にあることを認識し得るか、またはＭｅＮＢによって認識させられ得る。標的ＳｅＮＢ認識は、事前構成され得、または代替として、ＳｅＮＢ追加要求メッセージの中で場所指示識別子としてシグナリングされ得る。標的ＳｅＮＢは、暗示的または明示的のいずれかで、ＵＥのための既存のサイドリンク構成が使用され得ることを示し得る。例として、ＳｅＮＢがサイドリンク構成のうちのいずれかまたはいくつかを修正することを決定する場合、新しいＳＣＧ−Ｃｏｎｆｉｇメッセージの中に新しい構成ＩＥを含み得る。他方で、所与のサイドリンク構成が更新される必要がない（故に、ＵＥにおいて使用され続ける）ことを決定する場合、単純に、ＳＣＧ−Ｃｏｎｆｉｇメッセージからそれを除外し得る。結果として生じるＳＣＧ−Ｃｏｎｆｉｇメッセージは、ＳｅＮＢ追加要求確認応答メッセージの中でＭｅＮＢに送信され得る。
【００９７】
ＭｅＮＢは、新しいＳｅＮＢの成功した追加の指示として、ＳｅＮＢ追加要求確認応答メッセージを受信すると、古いＳｅＮＢを解放し、ＲＲＣ再構成をＵＥに送信する。ＵＥは、ＭｅＮＢからのＲＲＣ再構成メッセージの中で受信されるような適切な構成で標的ＳｅＮＢに同期し、それに接続する。ＵＥは、新しいＳｅＮＢで使用するために更新される必要があるＩＥのみを含み得る任意の新しいＲＲＣサイドリンク構成メッセージ、例えば、ＭｅＮＢからのＳｌＣｏｎｆｉｇＳＣＧ−ｒ１５を受信する。さらなるオプションとして、ＭｅＮＢは、新しいＳｅＮＢ、または随意に、新しいＳｅＮＢにおいて新しい構成を再利用するための指示、または使用し続けるための指示を構成するとき、ＲＲＣメッセージ、例えば、ＳｌＣｏｎｆｉｇＳＣＧ−ｒ１５を完全に省略し得る。この場合、ＵＥは、前もってシグナリングされたパラメータの全てを再利用する。
【００９８】
図１０は、ある実装によるサイドリンク課金調整プロセス１０００を図示する例示的フロー図を図示する。プロセス１０００は、示される順序で、または異なる順序で実施され得る追加の、より少ない、または異なるステップを使用して、実装されることができる。
【００９９】
ある場合、ＭｅＮＢは、ＳｅＮＢによってスケジュールされているリソースを通知されることができる。ステップ１で、ＵＥは、例えば、サイドリンクＢＳＲをＳｅＮＢに送信することによって、サイドリンクリソースの要求を行い、これは、ＵＥから直接受信されるか、またはＭｅＮＢを介してＳｅＮＢにトンネリングもしくは転送され得る。要求を受信すると、ＳｅＮＢは、リソースをスケジュールし、ステップ２で、ＵＥのためのサイドリンクスケジューリングメッセージをＭｅＮＢに送信する。ＭｅＮＢは、メッセージを受信する。ステップ３で、ＭｅＮＢは、ステップ２で受信されるサイドリンクスケジューリング情報をＵＥに送信する。ＵＥは、サイドリンクスケジューリング情報を受信する。ＭｅＮＢは、したがって、ＳｅＮＢによってＵＥに提供されるサイドリンクリソース許可を認識し、故に、課金に関与するコアネットワーク（ＣＮ）ノードへの対応する指示を作製することができる。
【０１００】
図１１は、ある実装による別のサイドリンク課金調整プロセス１１００を図示する例示的フロー図を図示する。プロセス１１００は、示される順序で、または異なる順序で実施され得る追加の、より少ない、または異なるステップを使用して、実装されることができる。
【０１０１】
ステップ１で、ＳｅＮＢは、ＵＥから、またはＭｅＮＢからのトンネルアップリンクメッセージの中でＸ２インターフェースを介して、サイドリンクＢＳＲメッセージを受信する。ＳｅＮＢは、Ｖ２Ｘ周波数上のＶ２Ｘサイドリンク通信を要求するＵＥがＭｅＮＢに接続されていることを決定する。決定は、Ｘ２インターフェースを経由して前もって送信されたサイドリンク構成情報に基づいて、または、サイドリンクＢＳＲメッセージを含むアップリンクメッセージをトンネリングしたＭｅＮＢを記録することによって、行われることができる。ステップ２で、ＳｅＮＢは、例えば、Ｘ２インターフェースを介してサイドリンク許可（例えば、ダウンリンク制御情報（ＤＣＩ）形式５Ａメッセージ）を送信する。サイドリンク許可は、随意に、ＵＥの識別を含むことができる。ＤＣＩ形式５Ａメッセージは、Ｘ２トンネルダウンリンクメッセージの中で送信される。ＭｅＮＢは、ステップ２で送信された情報を受信する。ステップ３で、ＭｅＮＢは、ＤＣＩ形式５ＡメッセージをＵＥに転送し、ＵＥは、ＤＣＩ形式５Ａメッセージを受信する。図１２は、ある実装による例示的Ｘ２トンネルダウンリンク情報メッセージを図示する。
【０１０２】
代替として、ＳｅＮＢは、サイドリンクリソースのためのＵＥサイドリンクＢＳＲ要求を受信すると、サイドリンク許可（例えば、ダウンリンク制御情報（ＤＣＩ）形式５Ａメッセージ）でＵＥに応答し得る。ＵＥは、受信されるスケジューリング情報、および使用される配分されたサイドリンクリソースを追跡し、Ｖ２Ｘサイドリンクリソース配分またはスペクトル使用に関する累積情報についてＭｅＮＢまたはＶＰＬＭＮ  ＰｒｏＳｅ／Ｖ２Ｘ機能に知らせることができる。この場合、ＵＥは、周期的に、Ｖ２Ｘサイドリンクセッションの終了時、または、ＭｅＮＢからの明示的要求時、サイドリンク上のリソース配分またはスペクトルを示すメッセージ（例えば、非アクセス層（ＮＡＳ）メッセージ）をＭｅＮＢに送信するか、または、ＶＰＬＭ  ＮＰｒｏＳｅ／Ｖ２Ｘ機能のためにＭｅＮＢを介して送信する。
【０１０３】
ＳｅＮＢは、ＵＥに送信されるスケジュールされたリソースを追跡し得る。ＭｅＮＢも、周期的に、明示的に、または、関連付けられるＶ２Ｘサイドリンクセッションの終了時、ＳｅＮＢからサイドリンク使用の類似または対応する指示を取得し得る。代替として、この情報は、（ＳｅＮＢを介してＭｅＮＢにルーティングされる情報の代わりに）スケジューリングＶ２Ｘ  ＳｅＮＢから決定されるような課金データベースエントリを共有することによって、サービスプロバイダ間で直接共有され得る。ＵＥから受信される情報は、次いで、スペクトル使用のための最終料金を推定するために、Ｖ２Ｘサービスのサービスプロバイダから受信される情報と調整される。２つの間に相違がある場合、課金は、調整のためのいくつかの合意された規則（例えば、ＵＥによって示されるリソースの料金またはＳｅＮＢによって示されるリソースの料金、もしくは両方の組み合わせ、例えば、２つの平均）に基づき得る。
【０１０４】
図１３は、ある実装によるデュアルコネクティビティ動作のためのサイドリンク通信構成方法１３００を図示する例示的ブロック図である。プロセス１３００は、示される順序で、または異なる順序で実施され得る追加の、より少ない、または異なるステップを使用して、実装されることができる。
【０１０５】
ブロック１３０２で、ＵＥが、第１のメッセージをＭｅＮＢに伝送する。第１のメッセージは、サイドリンク通信を確立するための要求を示す。ある場合、サイドリンク通信は、乗り物・別のデバイス（Ｖ２Ｘ）間のサイドリンク通信である。ある場合、ＵＥは、ＭｅＮＢおよびＳｅＮＢの両方とのデュアルコネクティビティ（ＤＣ）モードで動作する。ある場合、ＵＥは、能力インジケータをＭｅＮＢに伝送する。能力インジケータは、ＭｅＮＢが測定情報を構成する前、ＵＥがデュアルコネクティビティ構成を介した乗り物・Ｖ２Ｘ間サイドリンク通信をサポートすることを示す。
【０１０６】
ブロック１３０４で、ＵＥが、ＭｅＮＢから第２のメッセージを受信する。第２のメッセージは、二次進化型ノードＢ（ＳｅＮＢ）によって管理されるサイドリンク周波数を示す。ブロック１３０６で、ＵＥが、測定結果をＭｅＮＢに送信する。測定結果は、ＳｅＮＢへの相対近接性を示し、代替物では、測定結果は、例えば、ＳｅＮＢ伝送搬送波周波数の受信信号強度を示すＵＥからの受信された測定レポートによって、ＭｅＮＢがＳｅＮＢへのＵＥ近接性を決定または計算することを可能にする。ブロック１３０８で、ＵＥは、ＭｅＮＢからサイドリンク構成情報を受信する。サイドリンク構成情報は、ＳｅＮＢによって管理されるサイドリンクリソースを示す。ある場合、サイドリンク構成情報は、サイドリンク通信のためのスケジューリングをＭｅＮＢが提供するか、ＳｅＮＢが提供するかを示す。ある場合、サイドリンク構成情報は、サイドリンク通信のための同期化をＭｅＮＢが提供するか、ＳｅＮＢが提供するかを示す。ブロック１３１０で、ＵＥは、サイドリンクリソースを使用してサイドリンク通信を実施する。
【０１０７】
図１４は、例示的ユーザ機器（ＵＥ）デバイス１４００を図示するブロック図である。図示されるデバイス１４００は、処理ユニット１４０２と、コンピュータ読み取り可能な記憶媒体１４０４（例えば、ＲＯＭまたはフラッシュメモリ）と、無線通信サブシステム１４０６と、ユーザインターフェース１４０８と、Ｉ／Ｏインターフェース１４１０とを含む。
【０１０８】
処理ユニット１４０２は、本明細書に開示される実装のうちの１つ以上のものに関連して本明細書に説明されるプロセス、ステップ、またはアクションのうちの１つ以上のものに関連する命令を実行するように構成される１つ以上の処理コンポーネント（代替として、「プロセッサ」または「中央処理ユニット」（ＣＰＵ）と称される）を含むことができる。いくつかの実装では、処理ユニット１４０２は、測定レポート等の制御情報を生成すること、またはネットワークノードからの制御情報等の受信された情報に応答することを行うように構成され得る。処理ユニット１４０２は、セル選択／再選択情報等の無線リソース管理（ＲＲＭ）決定を行うように、または測定レポートをトリガするようにも構成され得る。処理ユニット１４０２は、ランダムアクセスメモリ（ＲＡＭ）および読み取り専用メモリ（ＲＯＭ）等の他の補助コンポーネントを含むこともできる。コンピュータ読み取り可能な記憶媒体１４０４は、デバイス１４００のオペレーティングシステム（ＯＳ）、および上で説明されるプロセス、ステップ、またはアクションのうちの１つ以上のものを実施するための種々の他のコンピュータ実行可能命令、論理、またはソフトウェアプログラムを記憶することができる。
【０１０９】
無線通信サブシステム１４０６は、処理ユニット１４０２によって提供される音声、データ、および／または制御情報のための無線通信を提供するように構成され得る。無線通信サブシステム１４０６は、例えば、１つ以上のアンテナと、受信機と、伝送機と、ローカル発振器と、ミキサと、デジタル信号処理（ＤＳＰ）ユニットとを含むことができる。いくつかの実装では、サブシステム１４０６は、多入力多出力（ＭＩＭＯ）伝送をサポートすることができる。いくつかの実装では、無線通信サブシステム１４０６内の受信機は、先進受信機または基準受信機であり得る。２つの受信機は、同じ、類似、または異なる受信機処理アルゴリズムで実装されることができる。
【０１１０】
ユーザインターフェース１４０８は、例えば、スクリーンまたはタッチスクリーン（例えば、液晶ディスプレイ（ＬＣＤ）、発光ディスプレイ（ＬＥＤ）、有機発光ディスプレイ（ＯＬＥＤ）、微小電気機械システム（ＭＥＭＳ）ディスプレイ）、キーボードまたはキーパッド、トラックボール、スピーカ、およびマイクロホンのうちの１つ以上のものを含むことができる。Ｉ／Ｏインターフェース１４１０は、例えば、ユニバーサルシリアルバス（ＵＳＢ）インターフェースを含むことができる。種々の他のコンポーネントも、デバイス１４００の中に含まれることができる。本発明のいくつかの実施形態が、説明されている。それでもなお、種々の修正が行われ得ることを理解されたい。故に、他の実施形態も、以下の請求項の範囲内である。
【０１１１】
図１５は、例示的基地局デバイス１５００を図示するブロック図である。例示的基地局１５００は、ＭｅＮＢまたはＳｅＮＢであり得る。図示される基地局１５００は、処理ユニット１５０２と、有線通信サブシステム１５０４と、無線通信サブシステム１５０６とを含む。無線通信サブシステム１５０６は、データトラフィックを受信し、ＵＥからのトラフィックを制御することができる。いくつかの実装では、無線通信サブシステム１５０６は、受信機と、伝送機とを含み得る。有線通信サブシステム１５０４は、バックホール接続を介して他のアクセスノードデバイス間で制御情報を伝送および受信するように構成されることができる。処理ユニット１５０２は、本明細書に開示される実装のうちの１つ以上のものに関連して上で説明されるプロセス、ステップ、またはアクションのうちの１つ以上のものに関連する命令を実行可能な１つ以上の処理コンポーネント（代替として、「プロセッサ」または「中央処理ユニット」（ＣＰＵ）と称される）を含むことができる。処理ユニット１５０２は、コンピュータ読み取り可能な記憶媒体、例えば、ランダムアクセスメモリ（ＲＡＭ）、読み取り専用メモリ（ＲＯＭ）、二次記憶装置（例えば、ハードディスクドライブまたはフラッシュメモリ）等の他のコンポーネントを含むこともできる。いくつかの実装では、処理ユニット１５０２は、制御情報を生成すること、またはＵＥから伝送される測定レポート等の受信された情報に応答することを行うように構成され得る。処理ユニット１５０２は、セル選択／再選択情報または測定レポート等のＵＥから伝送される情報に少なくとも部分的に基づいて、ＲＲＭ決定を行うようにも構成され得る。処理ユニット１５０２は、ある命令およびコマンドを実行し、有線通信サブシステム１５０４または無線通信サブシステム１５０６を使用して、無線または有線通信を提供することができる。種々の他のコンポーネントも、基地局１５００の中に含まれることができる。
【０１１２】
本開示に説明される主題および動作の実装のいくつかは、デジタル電子回路において、またはコンピュータソフトウェア、ファームウェア、もしくは本開示に説明される構造およびそれらの構造的均等物を含むハードウェアにおいて、もしくはそれらのうちの１つ以上のものの組み合わせにおいて実装されることができる。本開示に説明される主題のいくつかは、１つ以上のコンピュータプログラム、すなわち、データ処理装置による実行のために、もしくはその動作を制御するために、コンピュータ記憶媒体上でエンコードされたコンピュータプログラム命令の１つ以上のモジュールとして、実装されることができる。代替として、または加えて、プログラム命令は、データ処理装置による実行のための好適な受信機装置に伝送するための情報をエンコードするように生成される人為的生成伝搬信号、例えば、マシン生成電気、光学、もしくは電磁信号上でエンコードされることができる。コンピュータ記憶媒体は、機械読み取り可能な記憶デバイス、機械読み取り可能な記憶基板、ランダムまたはシリアルアクセスメモリデバイス、もしくはコンピュータ記憶媒体の任意の組み合わせであり得る。
【０１１３】
用語「データ処理装置」、「コンピュータ」、または「電子コンピュータデバイス」は、一例として、プログラマブルプロセッサ、コンピュータ、チップ上のシステム、または前述の複数のものもしくはそれらの組み合わせを含むデータを処理するためのあらゆる種類の装置、デバイス、およびマシンを包含する。装置は、専用論理回路、例えば、ＦＰＧＡ（フィールドプログラマブルゲートアレイ）またはＡＳＩＣ（特定用途向け集積回路）を含むことができる。いくつかの実装では、データ処理装置または専用論理回路（またはデータ処理装置もしくは専用論理回路の組み合わせ）は、ハードウェアベースまたはソフトウェアベース（もしくはハードウェアおよびソフトウェアベースの両方の組み合わせ）であり得る。装置は、随意に、コンピュータプログラムのための実行環境を作成するコード、例えば、プロセッサファームウェア、プロトコルスタック、データベース管理システム、オペレーティングシステム、または実行環境の組み合わせを構成するコードを含むことができる。本開示は、従来のオペレーティングシステム、例えば、ＬＩＮＵＸ（登録商標）、ＵＮＩＸ（登録商標）、ＷＩＮＤＯＷＳ（登録商標）、ＭＡＣ  ＯＳ、ＡＮＤＲＯＩＤ（登録商標）、ＩＯＳ、または任意の他の好適な従来のオペレーティングシステムの有無別に、データ処理装置の使用を包含する。
【０１１４】
プログラム、ソフトウェア、ソフトウェアアプリケーション、モジュール、ソフトウェアモジュール、スクリプト、またはコードとも称される、もしくは表され得るコンピュータプログラムが、コンパイラ型またはインタープリタ型言語、もしくは宣言型または手続き型言語を含む任意の形態のプログラミング言語で記述されることができ、それは、独立型プログラムとして、またはモジュール、コンポーネント、サブルーチン、もしくはコンピューティング環境での使用のために好適な他のユニットとしてを含む任意の形態で展開されることができる。コンピュータプログラムは、ファイルシステム内のファイルに対応し得るが、そうである必要はない。プログラムは、他のプログラムまたはデータ、例えば、マークアップ言語文書内に記憶された１つ以上のスクリプトを保持するファイルの一部内に、当該プログラム専用である単一のファイル内に、または複数の協調ファイル、例えば、１つ以上のモジュール、サブプログラム、もしくはコードの複数部分を記憶するファイル内に、記憶されることができる。コンピュータプログラムは、１つのコンピュータ、または、１つの場所に位置するか、もしくは複数の場所にわたって分散され、通信ネットワークによって相互接続される複数のコンピュータにおいて実行されるように展開されることができる。種々の図に図示されるプログラムの複数部分が、種々のオブジェクト、方法、または他のプロセスを通して、種々の特徴および機能性を実装する個々のモジュールとして示されるが、プログラムは、代わりに、必要に応じて、いくつかのサブモジュール、第三者サービス、コンポーネント、ライブラリ等を含み得る。逆に、種々のコンポーネントの特徴および機能性は、必要に応じて、単一コンポーネントに組み込まれることもできる。
【０１１５】
本開示に説明されるプロセスおよび論理フローのいくつかは、入力データに基づいて動作し、出力を生成することによって、アクションを実施するように、１つ以上のコンピュータプログラムを実行する１つ以上のプログラマブルコンピュータによって実施されることができる。プロセスおよび論理フローは、専用論理回路、例えば、ＦＰＧＡ（フィールドプログラマブルゲートアレイ）またはＡＳＩＣ（特殊用途向け集積回路）によって実施されることもでき、装置も、それらとして実装されることもできる。
【０１１６】
コンピュータプログラムの実行のために好適なプロセッサは、一例として、汎用および専用マイクロプロセッサの両方と、任意の種類のデジタルコンピュータとを含む。概して、プロセッサは、読み取り専用メモリまたはランダムアクセスメモリもしくは両方から命令およびデータを受信するであろう。プロセッサは、一例として、プログラマブルプロセッサ、コンピュータ、チップ上のシステム、または前述の複数のものもしくはそれらの組み合わせを含むことができる。プロセッサは、専用論理回路、例えば、ＦＰＧＡ（フィールドプログラマブルゲートアレイ）またはＡＳＩＣ（特殊用途向け集積回路）を含むことができる。
【０１１７】
コンピュータプログラムの実行のために好適なコンピュータは、汎用または専用マイクロプロセッサ、両方、もしくは任意の他の種類のＣＰＵに基づき得る。概して、ＣＰＵは、読み取り専用メモリ（ＲＯＭ）またはランダムアクセスメモリ（ＲＡＭ）もしくは両方から、命令およびデータを受信するであろう。コンピュータの不可欠な要素は、命令を実施もしくは実行するためのＣＰＵ、ならびに命令およびデータを記憶するための１つ以上のメモリデバイスである。概して、コンピュータは、データを記憶するための１つ以上の大容量記憶デバイス、例えば、磁気、光磁気ディスク、もしくは光ディスクも含むか、または、それらに動作可能に結合され、それらからデータを受信すること、もしくはそれらにデータを転送すること、または両方を行うであろう。しかしながら、コンピュータは、そのようなデバイスを有する必要はない。さらに、コンピュータは、別のデバイス、例えば、いくつか例を挙げると、携帯電話、携帯情報端末（ＰＤＡ）、モバイルオーディオまたはビデオプレーヤ、ゲームコンソール、全地球測位システム（ＧＰＳ）受信機、もしくは携帯用記憶デバイス、例えば、ユニバーサルシリアルバス（ＵＳＢ）フラッシュドライブに組み込まれることができる。
【０１１８】
コンピュータプログラム命令またはデータを記憶するために好適なコンピュータ読み取り可能な媒体（必要に応じて、一過性または非一過性）は、一例として、半導体メモリデバイス、例えば、消去可能プログラマブル読み取り専用メモリ（ＥＰＲＯＭ）、電気的消去可能プログラマブル読み取り専用メモリ（ＥＥＰＲＯＭ）、およびフラッシュメモリデバイス、磁気ディスク、例えば、内部ハードディスクまたはリムーバブルディスク、光磁気ディスク、ならびにＣＤ−ＲＯＭ、ＤＶＤ＋／−Ｒ、ＤＶＤ−ＲＡＭ、およびＤＶＤ−ＲＯＭディスクを含む全ての形態の不揮発性メモリ、媒体、およびメモリデバイスを含む。メモリは、キャッシュ、クラス、フレームワーク、アプリケーション、バックアップデータ、ジョブ、ウェブページ、ウェブページテンプレート、データベーステーブル、動的情報を記憶するレポジトリ、ならびに任意のパラメータ、変数、アルゴリズム、命令、規則、制約、もしくはそれらへの参照を含む任意の他の適切な情報を含む種々のオブジェクトまたはデータを記憶し得る。加えて、メモリは、ログ、ポリシー、セキュリティまたはアクセスデータ、報告ファイル、ならびにその他等の任意の他の適切なデータを含み得る。プロセッサおよびメモリは、専用論理回路によって補完されること、またはそれに組み込まれることができる。ある場合、コンピュータ記憶媒体は、一過性、非一過性、またはそれらの組み合わせであることができる。
【０１１９】
ユーザとの相互作用を提供するために、本開示に説明される主題の実装は、情報をユーザに表示するためのディスプレイデバイス、例えば、ＣＲＴ（陰極線管）、ＬＣＤ（液晶ディスプレイ）、ＬＥＤ（発光ダイオード）、またはプラズマモニタと、それによってユーザが入力をコンピュータに提供し得るキーボードおよびポインティングデバイス、例えば、マウス、トラックボール、またはトラックパッドを有するコンピュータ上で実装されることができる。入力はまた、圧力感受性を伴うタブレットコンピュータ表面、容量または電気感知を使用するマルチタッチスクリーン、もしくは他のタイプのタッチスクリーン等のタッチスクリーンを使用して、コンピュータに提供され得る。他の種類のデバイスも、ユーザとの相互作用を提供するために使用されることもでき、例えば、ユーザに提供されるフィードバックは、任意の形態の感覚フィードバック、例えば、視覚フィードバック、聴覚フィードバック、または触覚フィードバックであり得、ユーザからの入力は、音響、発話、または触覚入力を含む任意の形態で受信されることができる。加えて、コンピュータは、ユーザによって使用されるデバイスに文書を送信し、そこから文書を受信することによって、例えば、ウェブブラウザから受信される要求に応答して、ウェブページをユーザのクライアントデバイス上のウェブブラウザに送信することによって、ユーザと相互作用することができる。
【０１２０】
用語「グラフィカルユーザインターフェース」または「ＧＵＩ」は、１つ以上のグラフィカルユーザインターフェース、および特定のグラフィカルユーザインターフェースのディスプレイの各々を表すために、単数形または複数形で使用され得る。したがって、ＧＵＩは、ウェブブラウザ、タッチスクリーン、または情報を処理して情報結果を効率的にユーザに提示するコマンドラインインターフェース（ＣＬＩ）を含むが、それらに限定されない、任意のグラフィカルユーザインターフェースを表し得る。一般に、ＧＵＩは、ビジネスソフトウェアパッケージユーザによって操作可能な双方向フィールド、プルダウンリスト、およびボタン等のいくつかまたは全てがウェブブラウザに関連付けられる複数のユーザインターフェース（ＵＩ）要素を含み得る。これらおよび他のＵＩ要素は、ウェブブラウザの機能に関係付けられ得るか、またはそれらを表し得る。
【０１２１】
本開示に説明される主題の実装は、例えば、データサーバとして、バックエンドコンポーネントを含む、またはミドルウェアコンポーネント、例えば、アプリケーションサーバを含む、もしくはフロントエンドコンポーネント、例えば、それを通してユーザが本開示に説明される主題の実装と相互作用することができるグラフィカルユーザインターフェースまたはウェブブラウザを有するクライアントコンピュータを含むか、もしくは１つ以上のそのようなバックエンド、ミドルウェア、もしくはフロントエンドコンポーネントの任意の組み合わせを含むコンピュータシステムで実装されることができる。システムのコンポーネントは、有線または無線デジタルデータ通信（またはデータ通信の組み合わせ）の任意の形態もしくは媒体、例えば、通信ネットワークによって、相互接続されることができる。通信ネットワークの例は、ローカルエリアネットワーク（ＬＡＮ）、無線アクセスネットワーク（ＲＡＮ）、メトロポリタンエリアネットワーク（ＭＡＮ）、広域ネットワーク（ＷＡＮ）、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷＩＭＡＸ）、例えば、８０２．１１ａ／ｂ／ｇ／ｎまたは８０２．２０（または８０２．１１ｘおよび８０２．２０の組み合わせもしくは本開示に準拠する他のプロトコル）を使用する無線ローカリエリアネットワーク（ＷＬＡＮ）、インターネットの全体もしくは一部、または任意の他の通信システム、もしくは１つ以上の場所におけるシステム（または通信ネットワークの組み合わせ）を含む。ネットワークは、ネットワークアドレスの間で、例えば、インターネットプロトコル（ＩＰ）パケット、フレームリレーフレーム、非同期転送モード（ＡＴＭ）セル、音声、ビデオ、データ、または他の好適な情報（または通信タイプの組み合わせ）と通信し得る。
【０１２２】
コンピューティングシステムは、クライアントと、サーバとを含むことができる。クライアントおよびサーバは、概して、互いから遠隔にあり、典型的には、通信ネットワークを通して相互作用する。クライアントおよびサーバの関係は、それぞれのコンピュータ上で作動し、互いにクライアント−サーバ関係を有するコンピュータプログラムによって生じる。
【０１２３】
いくつかの実装では、ハードウェアまたはソフトウェア（もしくはハードウェアおよびソフトウェアの組み合わせ）のいずれかであるコンピュータシステムのコンポーネントのうちのいずれかもしくは全ては、アプリケーションプログラミングインターフェース（ＡＰＩ）またはサービス層（もしくはＡＰＩおよびサービス層の組み合わせ）を使用して、互いに、もしくはインターフェースとインターフェースをとり得る。ＡＰＩは、ルーチン、データ構造、およびオブジェクトクラスの仕様を含み得る。ＡＰＩは、コンピュータ言語非依存または依存のいずれかであり、完全インターフェース、単一の機能、またはＡＰＩの組さえも指し得る。サービス層は、ソフトウェアサービスをコンピュータシステムに提供する。コンピュータシステムの種々のコンポーネントの機能性は、サービス層を使用して、全てのサービス消費者のためにアクセス可能であり得る。ソフトウェアサービスは、定義されたインターフェースを通して、再利用可能な定義されたビジネス機能性を提供する。例えば、インターフェースは、ＪＡＶＡ（登録商標）、Ｃ＋＋、または拡張マークアップ言語（ＸＭＬ）形式もしくは他の好適な形式でデータを提供する他の好適な言語で書かれたソフトウェアであり得る。ＡＰＩまたはサービス層（もしくはＡＰＩおよびサービス層の組み合わせ）は、コンピュータシステムの他のコンポーネントに関連して、一体および／または独立型コンポーネントであり得る。また、サービス層の任意または全ての部分は、本開示の範囲から逸脱することなく、別のソフトウェアモジュール、企業アプリケーション、もしくはハードウェアモジュールの子またはサブモジュールとして実装され得る。
【０１２４】
本開示は多くの具体的実装詳細を含むが、これらは、任意の発明の範囲または請求され得るものの範囲に対する制限として解釈されるべきではなく、むしろ、特定の発明の特定の実装に特異的であり得る特徴の説明として解釈されるべきである。別個の実装との関連で本開示に説明されるある特徴は、単一の実装で組み合わせて実装されることもできる。逆に、単一の実装との関連で説明される種々の特徴も、別個に、または任意の好適な副次的組み合わせにおいて、複数の実装で実装されることもできる。さらに、特徴は、ある組み合わせにおいて作用するものとして上で説明され、さらに、そのようなものとして最初に請求され得るが、請求される組み合わせからの１つ以上の特徴は、ある場合、組み合わせから削除されることができ、請求される組み合わせは、副次的組み合わせもしくは副次的組み合わせの変形例を対象とし得る。
【０１２５】
本主題の特定の実装が、説明されている。他の実装、説明される実装の改変、および順列は、当業者に明白となるような以下の請求項の範囲内である。動作は、特定の順序において図面または請求項で描写されるが、これは、そのような動作が、示される特定の順序において、もしくは連続順序において行われること、または望ましい結果を達成するために、全ての図示される動作が行われること（いくつかの動作が随意と見なされ得る）を要求するものとして、理解されるべきではない。ある状況では、マルチタスクまたは並列処理（もしくはマルチタスクおよび並列処理の組み合わせ）が、有利であり、適切であると見なされる場合、実施され得る。
【０１２６】
さらに、上で説明される実装における種々のシステムモジュールおよびコンポーネントの分離または統合は、全ての実装においてそのような分離または統合を要求するものとして理解されるべきではなく、説明されるプログラムコンポーネントおよびシステムは、概して、単一のソフトウェア製品にともに組み込まれ得る、または複数のソフトウェア製品にパッケージ化され得ることを理解されたい。
【０１２７】
故に、例示的実装の上記の説明は、本開示を定義または制約しない。他の変更、代用、および改変も、本開示の精神ならびに範囲から逸脱することなく、可能である。
【０１２８】
さらに、下記の任意の請求される実装は、少なくともコンピュータ実装方法、コンピュータ実装方法を実施するためのコンピュータ読み取り可能な命令を記憶する非一過性コンピュータ読み取り可能な媒体、およびコンピュータ実装方法またはコンピュータ読み取り可能な媒体上に記憶される命令を実施するように構成されるハードウェアプロセッサと相互運用可能に結合されるコンピュータメモリを備えるコンピュータシステムに適用可能であると考えられる。
【図１】
2020523887.tif 000003
【図２】
2020523887.tif 000004
【図３】
2020523887.tif 000005
【図４】
2020523887.tif 000006
【図５】
2020523887.tif 000007
【図６Ａ】
2020523887.tif 000008
【図６Ｂ】
2020523887.tif 000009
【図７】
2020523887.tif 000010
【図８】
2020523887.tif 000011
【図９】
2020523887.tif 000012
【図１０】
2020523887.tif 000013
【図１１】
2020523887.tif 000014
【図１２】
2020523887.tif 000015
【図１３】
2020523887.tif 000016
【図１４】
2020523887.tif 000017
【図１５】
2020523887.tif 000018
【国際調査報告】
2020523887.tif 000019